(57)【要約】  眼科機器は、被検眼に対する検査用の光を発する第１光源及び第２光源のうちの少なくとも一方を有する光源を含み、前記光源からの光を射出する射出部と、前記射出部から射出された光を、右眼網膜及び／又は左眼網膜に導く光学系と、前記光が前記右眼網膜及び／又は前記左眼網膜に照射されるように前記射出部及び前記光学系を制御する制御部と、を含む。
2019050049.tif 000002
【特許請求の範囲】
【請求項１】
被検眼に対する検査用の光を発する第１光源及び第２光源を有する光源を含み、前記光源からの光を射出する射出部と、
前記射出部から射出された光を右眼網膜に導く右眼用光学系と、前記射出部から射出された光を左眼網膜に導く左眼用光学系と、を有する光学系と、
前記光が前記右眼網膜及び／又は前記左眼網膜に照射されるように前記射出部及び前記光学系を制御する制御部と、
を含む眼科機器。
【請求項２】
前記第１光源は可視光を発し、
前記第２光源は近赤外光を発する請求項１に記載の眼科機器。
【請求項３】
前記第１光源はＳＬＯ撮影用又は視野検査用の光源である請求項１又は請求項２に記載の眼科機器。
【請求項４】
前記第２光源はＳＬＯ撮影用又はＯＣＴ撮影用の光源である請求項１又は請求項２に記載の眼科機器。
【請求項５】
前記制御部は、前記第１光源からの光を前記被検眼の網膜の特定位置に照射することで視野検査が行われるように前記射出部及び前記光学系を制御する請求項１から請求項４の何れか１項に記載の眼科機器。
【請求項６】
前記制御部は、前記第１光源からの光が前記被検眼の網膜に対して走査されることでＳＬＯ撮影が行われるように前記射出部及び前記光学系を制御する請求項１から請求項５の何れか１項に記載の眼科機器。
【請求項７】
前記制御部は、前記第２光源からの光が前記被検眼の網膜に対して走査されることでＯＣＴ撮影が行われるように前記射出部及び前記光学系を制御する請求項１から請求項６の何れか１項に記載の眼科機器。
【請求項８】
前記光学系は、視野検査光を前記右眼網膜に対して走査する右眼用スキャナと、前記視野検査光を前記左眼網膜に対して走査する左眼用スキャナと、を有する請求項１から請求項７の何れか１項に記載の眼科機器。
【請求項９】
前記被検眼の前眼部を撮影する前眼部カメラを更に含み、
前記右眼用スキャナは、前記視野検査光を前記右眼網膜に導く右眼用反射部材を有し、
前記左眼用スキャナは、前記視野検査光を前記左眼網膜に導く左眼用反射部材を有する請求項８に記載の眼科機器。
【請求項１０】
前記制御部は、前記前眼部カメラにより撮影されて得られた前眼部画像に基づいて瞳孔間距離を検出し、検出した前記瞳孔間距離に基づいて前記右眼用反射部材及び／又は左眼用反射部材の位置を制御する請求項９に記載の眼科機器。
【請求項１１】
前記前眼部カメラは、右眼の前眼部を撮影する右眼用カメラ、及び左眼の前眼部を撮影する左眼用カメラである請求項９又は請求項１０に記載の眼科機器。
【請求項１２】
前記制御部は、
検査対象眼を指示する指示情報と、眼科検査の種類を特定する検査種類特定情報とを外部の管理装置より受信し、
受信した検査種類特定情報に基づいて、前記射出部及び前記光学系を制御し、
前記眼科検査の進捗状況に関する情報を前記管理装置に送信する
請求項１から請求項１１の何れか１項に記載の眼科機器。
【請求項１３】
被検眼に対する検査用の光を発する第１光源及び第２光源を有する光源を含む光管理部と、
前記光を右眼網膜に導く右眼用光学系と、前記光を左眼網膜に導く左眼用光学系と、を有する光学系を含むアイウエア端末と、
前記光管理部からの光を前記右眼用光学系及び/又は前記左眼用光学系へ導く光分岐部と、
前記光管理部、前記光学系及び前記光分岐部を制御する制御部と、
を含む眼科機器。
【請求項１４】
前記光管理部と前記制御部は、一体化された制御装置であり、
前記制御装置と前記光分岐部は、光ファイバを含むケーブルで接続されている請求項１３に記載の眼科機器。
【請求項１５】
右眼用検査光を射出する右眼用射出部と、
左眼用検査光を射出する左眼用射出部と、
前記右眼用検査光を右眼網膜に導く右眼用光学系と、前記左眼用検査光を左眼網膜に導く左眼用光学系とを有する光学系と、
前記右眼用検査光が前記右眼網膜に照射され、前記左眼用検査光が前記左眼網膜に照射されるように前記右眼用射出部、前記左眼用射出部、及び前記光学系を制御する制御部と、
を含む眼科機器。
【請求項１６】
前記右眼用射出部、前記左眼用射出部及び前記光学系がアイウエア端末を構成し、
前記アイウエア端末と前記制御部とが有線通信又は無線通信可能に接続されている請求項１５に記載の眼科機器。
【請求項１７】
被検眼に対する検査用の光を発する第１光源及び第２光源を有する光源を含み、前記光源からの光を射出する射出部と、前記射出部から射出された光を右眼網膜に導く右眼用光学系と、前記射出部から射出された光を左眼網膜に導く左眼用光学系と、を有する光学系と、前記光が前記右眼網膜及び／又は前記左眼網膜に照射されるように前記射出部及び前記光学系を制御する制御部とを含む眼科機器 を管理する管理方法であって、
検査対象眼を指示する指示情報と、眼科検査の種類を特定する検査種類特定情報を含む眼科検査情報を前記眼科機器に送信し、
前記眼科機器による前記検査の結果を示す検査結果情報を前記眼科機器から取得することを含む管理方法。
【請求項１８】
前記眼科機器から送信される前記眼科検査の進捗状況に応じた進捗状況情報を取得し、
前記進捗状況情報に基づいて進捗状況画面を生成し、
生成した前記進捗状況画面を含む画像を示す画像信号を出力することを含む請求項１７に記載の管理方法。
【請求項１９】
請求項１に記載の眼科機器とのデータ送受信を行う通信部と、
制御部と、を備えた管理装置であって、
前記制御部は、
検査対象眼を指示する指示情報と、眼科検査の種類を特定する検査種類特定情報とを含む眼科検査情報を前記眼科機器に送信し、
前記眼科機器による前記検査の結果を示す検査結果情報を前記眼科機器から取得する
管理装置。
【請求項２０】
前記眼科機器から送信される前記眼科検査の進捗状況に応じた進捗状況情報を取得し、
前記進捗状況情報に基づいて進捗状況画面を生成し、
生成した前記進捗状況画面を含む画像を示す画像信号を出力する請求項１９に記載の管理装置。
【請求項２１】
前記画像信号に基づいて前記進捗状況画面を表示する表示部を更に含む請求項２０に記載の管理装置。
【発明の詳細な説明】
【技術分野】
【０００１】
本開示の技術は、眼科機器、管理方法、及び管理装置に関する。
【背景技術】
【０００２】
本明細書において、眼科とは、眼に対処する医学の分科を指す。また、本明細書において、ＳＬＯとは、“Ｓｃａｎｎｉｎｇ  Ｌａｓｅｒ  Ｏｐｈｔｈａｌｍｏｓｃｏｐｅ”の略称を指す。また、本明細書において、ＯＣＴとは、“Ｏｐｔｉｃａｌ  Ｃｏｈｅｒｅｎｃｅ  Ｔｏｍｏｇｒａｐｈ”の略称を指す。【０００３】
特開２０１６−２２１５０号公報には、照射光学系と、生体情報検出部と、評価情報生成部と、制御部と、を含む視機能検査装置が開示されている。【０００４】
特開２０１６−２２１５０号公報に記載の視機能検査装置において、照射光学系は、レーザ光源から出力されたレーザ光の光路に配置された光スキャナを含み、光スキャナを経由したレーザ光を被検眼の網膜に照射する。また、生体情報検出部は、レーザ光の照射に対する被検者の反応を表す生体情報を反復的に検出する。また、制御部は、生体情報の反復的な検出が行われているときに、網膜の一の刺激点へのレーザ光の照射強度を単調的に変化させるように照射光学系を制御する。【０００５】
また、特開２０１６−２２１５０号公報に記載の視機能検査装置において、評価情報生成部は、検出された生体情報に基づいて、被検眼の視機能に関する評価情報を生成する。具体的には、評価情報生成部は、レーザ光の照射強度の単調的な変化に応じた生体情報の時系列変化に基づいて、一の刺激点における感度情報を生成する。また、評価情報生成部は、網膜の複数の刺激点のそれぞれについて生成された感度情報に基づいて、複数の刺激点における感度情報の分布を評価情報として生成する。
【発明の概要】
【０００６】
本開示の技術の第１態様に係る眼科機器は、被検眼に対する検査用の光を発する第１光源及び第２光源を有する光源を含み、前記光源からの光を射出する射出部と、前記射出部から射出された光を右眼網膜に導く右眼用光学系と、前記射出部から射出された光を左眼網膜に導く左眼用光学系と、を有する光学系と、前記光が前記右眼網膜及び／又は前記左眼網膜に照射されるように前記射出部及び前記光学系を制御する制御部と、を含む。
【０００７】
本開示の技術の第２態様に係る眼科機器は、被検眼に対する検査用の光を発する第１光源及び第２光源を有する光源を含む光管理部と、前記光を右眼網膜に導く右眼用光学系と、前記光を左眼網膜に導く左眼用光学系と、を有する光学系を含むアイウエア端末と、前記光管理部からの光を前記右眼用光学系及び/又は前記左眼用光学系へ導く光分岐部と、前記光管理部、前記光学系及び前記光分岐部を制御する制御部と、を含む。
【０００８】
本開示の技術の第３態様に係る眼科機器は、右眼用検査光を射出する右眼用射出部と、左眼用検査光を射出する左眼用射出部と、前記右眼用検査光を右眼網膜に導く右眼用光学系と、前記左眼用検査光を左眼網膜に導く左眼用光学系とを有する光学系と、前記右眼用検査光が前記右眼網膜に照射され、前記左眼用検査光が前記左眼網膜に照射されるように前記右眼用射出部、前記左眼用射出部、及び前記光学系を制御する制御部と、を含む。
【０００９】
本開示の技術の第４態様に係る管理方法は、被検眼に対する検査用の光を発する第１光源及び第２光源を有する光源を含み、前記光源からの光を射出する射出部と、前記射出部から射出された光を右眼網膜に導く右眼用光学系と、前記射出部から射出された光を左眼網膜に導く左眼用光学系と、を有する光学系と、前記光が前記右眼網膜及び／又は前記左眼網膜に照射されるように前記射出部及び前記光学系を制御する制御部とを含む眼科機器 を管理する管理方法であって、検査対象眼を指示する指示情報と、眼科検査の種類を特定する検査種類特定情報を含む眼科検査情報を前記眼科機器に送信し、前記眼科機器による前記検査の結果を示す検査結果情報を前記眼科機器から取得することを含む。
【００１０】
本開示の技術の第５態様に係る管理装置は、本開示の技術の第１の態様に係る眼科機器とのデータ送受信を行う通信部と、制御部と、を備えた管理装置であって、前記制御部は、検査対象眼を指示する指示情報と、眼科検査の種類を特定する検査種類特定情報とを含む眼科検査情報を前記眼科機器に送信し、前記眼科機器による前記検査の結果を示す検査結果情報を前記眼科機器から取得する。
【図面の簡単な説明】
【００１１】
【図１】第１実施形態に係る眼科システムの全体構成の一例を示す概念図である。
【図２】第１実施形態に係る眼科システムに含まれるウエアラブル端末装置の構成の一例を示す平面視概略構成図である。
【図３】第１実施形態に係る眼科システムに含まれるウエアラブル端末装置及び管理装置の電気系のハードウェア構成の一例を示すブロック図である。
【図４】第１及び第２実施形態に係る眼科システムに含まれるサーバ装置及びビューワの電気系のハードウェア構成の一例を示すブロック図である。
【図５】第１実施形態に係る眼科システムのウエアラブル端末装置に含まれる光管理部の構成の一例を示す概略構成図である。
【図６】第１実施形態に係る眼科システムのウエアラブル端末装置に含まれる光分岐部の構成の一例を示す概略構成図である。
【図７Ａ】第１〜第３実施形態に係る端末管理処理の流れの一例を示すフローチャートである。
【図７Ｂ】図７Ａに示すフローチャートの続きである。
【図８】第１〜第３実施形態に係る端末側処理の流れの一例を示すフローチャートである。
【図９Ａ】第１実施形態に係る端末側処理に含まれる視野検査処理の流れの一例を示すフローチャートである。
【図９Ｂ】図９Ａに示すフローチャートの続きである。
【図９Ｃ】第１実施形態に係る端末側処理に含まれるＳＬＯ画像検査処理の流れの一例を示すフローチャートである。
【図９Ｄ】第１実施形態に係る端末側処理に含まれるＯＣＴ画像検査処理の流れの一例を示すフローチャートである。
【図１０】第１〜第３実施形態に係るサーバ側処理の流れの一例を示すフローチャートである。
【図１１】第１〜第３実施形態に係る表示制御処理の流れの一例を示すフローチャートである。
【図１２】第１〜第３実施形態に係る通信エラー対応処理の流れの一例を示すフローチャートである。
【図１３】第１〜第３実施形態に係る表示制御処理が実行されることでディスプレイに表示される進行状況画面の態様の一例を示す概略画面図である。
【図１４】第１〜第３実施形態に係る眼科システムの要部機能の一例を示すブロック図である。
【図１５】第１実施形態に係る眼科システムに含まれるウエアラブル端末装置と管理装置とサーバ装置とビューワとの間の主なやり取りの一例を示すシーケンス図である。
【図１６】第２実施形態に係る眼科システムに含まれるウエアラブル端末装置の構成の一例を示す平面視概略構成図である。
【図１７】第２実施形態に係る眼科システムに含まれるウエアラブル端末装置及び管理装置の電気系のハードウェア構成の一例を示すブロック図である。
【図１８】第２実施形態に係る眼科システムに含まれるウエアラブル端末装置の右眼用光管理部（左眼用光管理部）の構成の一例を示す概略構成図である。
【図１９Ａ】第２実施形態に係る端末側処理に含まれる視野検査処理の流れの一例を示すフローチャートである。
【図１９Ｂ】第２実施形態に係る端末側処理に含まれるＳＬＯ画像検査処理の流れの一例を示すフローチャートである。
【図１９Ｃ】第２実施形態に係る端末側処理に含まれるＯＣＴ画像検査処理の流れの一例を示すフローチャートである。
【図２０】第１及び第２実施形態に係る眼科システムの変形例を示す概念図である。
【図２１】第１及び第２実施形態に係る端末側プログラムがウエアラブル端末装置にインストールされる態様の一例を示す概念図である。
【図２２】第１及び第２実施形態に係る管理装置側プログラムが管理装置にインストールされる態様の一例を示す概念図である。
【図２３】第３実施形態に係る眼科システムの全体構成の一例を示す概念図である。
【図２４】第３実施形態に係る眼科システムのウエアラブル端末装置に含まれる光管理部の構成の一例を示す概略構成図である。
【発明を実施するための形態】
【００１２】
以下、添付図面に従って本開示の技術に係る実施形態の一例について説明する。
【００１３】
先ず、以下の説明で使用される用語の意味について説明する。以下の説明において、ＭＥＭＳとは、“Ｍｉｃｒｏ  Ｅｌｅｃｔｒｏ  Ｍｅｃｈａｎｉｃａｌ  Ｓｙｓｔｅｍｓ”の略称を指す。また、以下の説明において、Ｉ／Ｆとは、“Ｉｎｔｅｒｆａｃｅ”の略称を指す。また、以下の説明において、Ｉ／Ｏとは、インプット・アウトプット・インタフェースの略称を指す。また、以下の説明において、ＵＳＢとは、“ｕｎｉｖｅｒｓａｌ  ｓｅｒｉａｌ  ｂｕｓ”の略称を指す。また、以下の説明において、ＩＤとは、“ＩＤｅｎｔｉｆｉｃａｔｉｏｎ”の略称を指す。
【００１４】
また、以下の説明において、ＣＰＵとは、“Ｃｅｎｔｒａｌ  Ｐｒｏｃｅｓｓｉｎｇ  Ｕｎｉｔ”の略称を指す。また、以下の説明において、ＲＡＭとは、“Ｒａｎｄｏｍ  Ａｃｃｅｓｓ  Ｍｅｍｏｒｙ”の略称を指す。また、以下の説明において、ＨＤＤとは、“Ｈａｒｄ  Ｄｉｓｋ  Ｄｒｉｖｅ”の略称を指す。また、以下の説明において、ＥＥＰＲＯＭとは、“Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ”の略称を指す。また、以下の説明において、ＳＳＤとは、“Ｓｏｌｉｄ  Ｓｔａｔｅ  Ｄｒｉｖｅ”の略称を指す。また、以下の説明において、ＤＶＤ−ＲＯＭとは、“Ｄｉｇｉｔａｌ  Ｖｅｒｓａｔｉｌｅ  Ｄｉｓｃ  Ｒｅａｄ  Ｏｎｌｙ  Ｍｅｍｏｒｙ”の略称を指す。
【００１５】
また、以下の説明において、ＡＳＩＣとは、“Ａｐｐｌｉｃａｔｉｏｎ  Ｓｐｅｃｉｆｉｃ  Ｉｎｔｅｇｒａｔｅｄ  Ｃｉｒｃｕｉｔ”の略称を指す。また、以下の説明において、ＦＰＧＡとは、“Ｆｉｅｌｄ−Ｐｒｏｇｒａｍｍａｂｌｅ  Ｇａｔｅ  Ａｒｒａｙ”の略称を指す。また、以下の説明において、“ＰＬＤ”とは、“Ｐｒｏｇｒａｍｍａｂｌｅ  Ｌｏｇｉｃ  Ｄｅｖｉｃｅ”の略称を指す。また、以下の説明において、ＬＡＮとは、“Ｌｏｃａｌ  Ａｒｅａ  Ｎｅｔｗｏｒｋ”の略称を指す。
【００１６】
また、本実施形態において、左右方向とは、例えば、患者の右眼の瞳孔の中心と左眼の瞳孔の中心とを通る直線の方向を指す。なお、以下では、説明の便宜上、「左右方向」を「Ｘ方向」とも称し、被検眼の瞳孔の中心から被検眼の後極に向かう方向を「Ｚ方向」と称し、Ｘ方向及びＺ方向の双方に対して垂直な方向を「Ｙ方向」と称する。
【００１７】
［第１実施形態］
一例として図１に示すように、眼科システム１０は、患者に対する眼科系の検査、すなわち、被検眼４４（図２参照）に対する検査（以下、単に「眼科検査」と称する）に供するシステムである。本実施形態では、眼科検査には、視野検査及び画像検査が含まれる。視野検査とは、患者（被検者）の視野の検査を指す。画像検査は、患者（被検者）の眼底を撮影して得られた眼底画像を用いた検査を指す。画像検査には、被検眼４４（図２参照）の網膜４６（図２参照）に対するＳＬＯによる平面視撮影で得られたＳＬＯ画像を用いたＳＬＯ画像検査と、網膜４６に対するＯＣＴによる断面視撮影で得られたＯＣＴ画像を用いたＯＣＴ画像検査とが含まれる。
【００１８】
ここで、平面視撮影とは、網膜４６に対して、Ｒ（赤色）、Ｇ（緑色）、及びＢ（青色）による３原色のレーザ光である３原色レーザ光が２次元状に走査されることで網膜４６の平面画像を得るための撮影を指す。本実施形態では、３原色レーザ光を例に挙げて説明するが、本開示の技術はこれに限定されるものではなく、例えば、Ｒ、Ｇ、及びＢのうちの単色によるレーザ光であってもよいし、２色によるレーザ光であってもよい。また、断面視撮影とは、レーザ光である近赤外光（以下、ＩＲレーザ光と称する）が網膜に対して走査されることで網膜４６の断層画像を得るための撮影を指す。なお、本明細書において、“ＩＲ”とは、“ｎｅａｒ−ｉｎｆｒａｒｅｄ”を意味する。
【００１９】
なお、３原色レーザ光は、本開示の技術に係る「被検眼に対する検査用の光」及び「ＳＬＯ用光源からの光」の一例である。また、ＩＲレーザ光は、本開示の技術に係る「被検眼に対する検査用の光」及び「ＯＣＴ用光源からの光」の一例である。以下では、説明の便宜上、「３原色レーザ光」及び「ＩＲレーザ光」を区別して説明する必要がない場合、「検査光」とも称する。以下では、説明の便宜上、ＩＲレーザ光がＯＣＴ画像検査で用いられているが、本開示の技術はこれに限定されるものではなく、ＳＬＯ画像検査でも用いることが可能である。
【００２０】
眼科システム１０は、複数台のウエアラブル端末装置１２と、管理装置１４と、サーバ装置１５と、ビューワ１７と、を含む。なお、ウエアラブル端末装置１２は、本開示の技術に係る眼科機器の一例である。
【００２１】
ウエアラブル端末装置１２は、本開示の技術に係るアイウエア端末の一例であるアイウエア端末装置１６、制御装置１８、及び光分岐部２０を含む。
【００２２】
アイウエア端末装置１６は、患者に装着される眼鏡型の端末装置の一種である。ここで言う「患者」とは、眼底に疾患を有する患者を指す。なお、患者は、本開示の技術に係る被検者の一例である。
【００２３】
アイウエア端末装置１６は、一般的な眼鏡と同様に、リム２２及びテンプル２４を備えている。また、アイウエア端末装置１６は、光学系２７を備えている。
【００２４】
リム２２は、光学系２７を保持している。テンプル２４は、左側テンプル２４Ｌと右側テンプル２４Ｒとに大別される。左側テンプル２４Ｌの一端部は、リム２２の左端部に取り付けられており、右側テンプル２４Ｒは、リム２２の右端部に取り付けられている。
【００２５】
左側テンプル２４Ｌは、耳掛け部２４Ｌ１を有する。右側テンプル２４Ｒは、耳掛け部２４Ｒ１を有する。耳掛け部２４Ｌ１は、患者の左耳に掛けられ、耳掛け部２４Ｒ１は、患者の右耳に掛けられる。
【００２６】
耳掛け部２４Ｌ１には、スピーカ１４０が設けられている。スピーカ１４０は、制御装置１８の制御下で、音声を出力する。スピーカ１４０は、患者の鼓膜に音波を直接当てるスピーカであってもよいし、振動を患者の鼓膜に間接的に伝達する骨伝導式のスピーカであってもよい。なお、スピーカ１４０は、患者の聴覚に働きかけることで患者に情報を通知する通知部の一例である。
【００２７】
制御装置１８は、例えば、患者が把持したり、患者が自身の衣服又は身体等に装着したりして用いられる。制御装置１８は、応答ボタン１９を備えている。なお、応答ボタン１９は、本開示の技術に係る受付部（応答部）の一例である。ここでは、応答ボタン１９を例示しているが、本開示の技術はこれに限定されない。例えば、応答ボタン１９に代えてタッチパネルを用いてもよいし、患者がレーザ光を知覚したことに応答する場合の患者の音声をマイクで取得し、マイクで取得した音声を認識する音声認識装置を用いてもよい。この場合、タッチパネル及び音声認識装置は、患者からの働きかけに応じて、後述する応答情報を出力する。
【００２８】
応答ボタン１９は、患者によって操作され、患者による操作に応じた情報を出力する。応答ボタン１９は、３原色レーザ光が被検眼４４（図２参照）の網膜４６（図２参照）に照射された場合に３原色レーザ光を患者が検知したか否かの操作を受け付ける。換言すると、応答ボタン１９は、患者がレーザ光を知覚したことに応答する場合の患者による操作を受け付ける。すなわち、応答ボタンの応答情報とマーク投影位置情報を対応させる処理を行う。
【００２９】
応答ボタン１９は、医療サービス者の問い掛けに対して患者が応える場合に患者によって押下されることもある。なお、ここで言う「医療サービス者」とは、例えば、眼科で医師の指示のもとに視能検査を行う視機能訓練士の資格を持った医療技術者を指す。応答ボタン１９と制御装置１８とは無線及び／又は有線通信可能に接続されており、応答ボタン１９が操作されたことによる応答情報が制御装置１８に送信される。なお、制御装置１８には１つの応答ボタン１９が機器番号などの番号で対応付けられている。無線通信としては、例えば、Ｗｉ−Ｆｉ（登録商標）又はＢｌｕｅｔｏｏｔｈ（登録商標）等による通信が挙げられる。有線通信としては、ケーブルによる通信が挙げられる。
【００３０】
制御装置１８は、管理装置１４に対して無線通信可能な状態で接続されており、管理装置１４と各種情報の授受を行う。制御装置１８は、ケーブル２５を介して光分岐部２０に接続されており、光分岐部２０を制御する。なお、制御装置１８は、管理装置１４に対して無線通信可能な状態で接続されていてもよい。
【００３１】
ケーブル２５は、光ファイバ３０及びバスライン３２を含む。制御装置１８は、光ファイバ３０を介して光分岐部２０に検査光を供給し、バスライン３２を介して光分岐部２０を制御する。
【００３２】
光学系２７は、光分岐部２０を備えている。光分岐部２０は、ケーブル３４，３６を介してアイウエア端末装置１６に接続されている。ケーブル３４は、右側テンプル２４Ｒに接続されており、ケーブル３６は、左側テンプル２４Ｌに接続されている。ケーブル３４，３６は共にバスライン３２を含む。従って、制御装置１８は、バスライン３２を介してアイウエア端末装置１６と各種電気信号の授受を行う。
【００３３】
ケーブル３４は、光ファイバ３８を含み、ケーブル３６は、光ファイバ４０を含む。光分岐部２０は、制御装置１８から光ファイバ３０を介して供給された検査光を光ファイバ３８及び／又は光ファイバ４０に分岐させる。光分岐部２０により分岐されて得られた一方の検査光は、光ファイバ３８を介してアイウエア端末装置１６に供給され、光分岐部２０により分岐されて得られた他方の検査光は、光ファイバ４０を介してアイウエア端末装置１６に供給される。
【００３４】
光学系２７は、反射ミラー４２を備えている。反射ミラー４２は、本開示の技術に係る反射部材の一例である。反射ミラー４２は、光分岐部２０からケーブル３４，３６を介して供給された検査光を反射させることで、一例として図２に示すように検査光を患者の被検眼４４の網膜４６に導く。なお、一例として図２に示すように、被検眼４４は、右眼４４Ｒと左眼４４Ｌとに大別される。また、網膜４６は、本開示の技術に係る右側網膜の一例である網膜４６Ｒと、本開示の技術に係る左側網膜の一例である網膜４６Ｌとに大別される。
【００３５】
反射ミラー４２は、右眼用反射ミラー４２Ｒと左眼用反射ミラー４２Ｌとに大別される。右眼用反射ミラー４２Ｒは、アイウエア端末装置１６が正しく装着された状態の患者の右眼４４Ｒの前方に位置するようにリム２２に保持されている。左眼用反射ミラー４２Ｌは、アイウエア端末装置１６が正しく装着された状態の患者の左眼４４Ｌの前方に位置するようにリム２２に保持されている。
【００３６】
右眼用反射ミラー４２Ｒは、光分岐部２０から光ファイバ３８を介して供給された検査光を反射させることで、一例として図２に示すように、検査光を患者の右眼４４Ｒの網膜４６Ｒに導く。左眼用反射ミラー４２Ｌは、光分岐部２０から光ファイバ４０を介して供給された検査光を反射させることで、一例として図２に示すように、患者の左眼４４Ｌの網膜４６Ｌに導く。
【００３７】
アイウエア端末装置１６は、右眼用インカメラ４８Ｒ及び左眼用インカメラ４８Ｌを備えている。右眼用インカメラ４８Ｒ及び左眼用インカメラ４８Ｌは、制御装置１８の制御下で、被写体を撮影する。
【００３８】
右眼用インカメラ４８Ｒ及び左眼用インカメラ４８Ｌは、リム２２の上縁部に取り付けられている。右眼用インカメラ４８Ｒは、Ｙ方向において右眼用反射ミラー４２Ｒとずれた位置に設けられており、右眼４４Ｒの前方領域の斜め上方から被写体として右眼４４Ｒの前眼部を撮影する。左眼用インカメラ４８Ｌは、Ｙ方向において左眼用反射ミラー４２Ｌとずれた位置に設けられており、左眼４４Ｌの前方領域の斜め上方から被写体として左眼４４Ｌの前眼部を撮影する。なお、右眼用インカメラ４８Ｒ及び左眼用インカメラ４８Ｌは、本開示の技術に係る前眼部カメラの一例である。また、ここでは、右眼用インカメラ４８Ｒ及び左眼用インカメラ４８Ｌを例示したが、本開示の技術はこれに限定されない。例えば、右眼用インカメラ４８Ｒ及び左眼用インカメラ４８Ｌに代えて、右眼４４Ｒの前眼部と左眼４４Ｌの前眼部との双方を撮影する単一のカメラを適用してもよい。
【００３９】
管理装置１４は、複数台のウエアラブル端末装置１２の各々による眼科検査の管理を一元的に行う。ここで、ウエアラブル端末装置１２による眼科検査とは、換言すると、ウエアラブル端末装置１２を用いた眼科検査を意味する。また、ここで、眼科検査の管理とは、例えば、眼科検査に用いられる検査光の管理、３原色レーザ光が網膜４６に照射されることで、照射された３原色レーザ光を患者が視覚的に知覚したことを示す知覚情報の管理、ウエアラブル端末装置１２との通信の管理、及び、ウエアラブル端末装置１２による眼科検査の進捗状況をウエアラブル端末装置１２毎に把握して後述する進捗状況画面１９０を表示する管理等を含む管理を指す。
【００４０】
制御装置１８は、管理装置１４からの指示に従って、検査光を、光ファイバ３０，３８，４０を介してアイウエア端末装置１６に供給する。
【００４１】
なお、本実施形態では、ウエアラブル端末装置１２と管理装置１４との間で無線通信が行われる例を挙げて説明しているが、本開示の技術はこれに限定されるものではない。例えば、ウエアラブル端末装置１２と管理装置１４との間で有線通信が行われるようにしてもよい。
【００４２】
サーバ装置１５は、管理装置１４及び／又はビューワ１７等の外部装置からの要求に応じた情報の提供及び／又は情報処理を行い、且つ、複数の患者の個人情報を一元的に管理する。サーバ装置１５は、ケーブル２３を介して管理装置１４及びビューワ１７に接続されており、管理装置１４及びビューワ１７の各々との間で各種情報の授受を行う。ケーブル２３の一例としては、ＬＡＮケーブルが挙げられる。なお、本実施形態では、サーバ装置１５と管理装置１４との間で有線通信が行われる場合を例示しているが、本開示の技術はこれに限定されるものではなく、サーバ装置１５と管理装置１４との間で無線通信が行われるようにしてもよい。
【００４３】
一例として図２に示すように、光学系２７は、検査光を網膜４６Ｒ及び／又は網膜４６Ｌに導く。光学系２７は、スキャナ２８及び反射ミラー４２を有する。スキャナ２８は、制御装置１８から光分岐部２０を介いて供給された検査光を走査する。反射ミラー４２は、スキャナ２８により走査された検査光を網膜４６に反射させる。
【００４４】
光学系２７は、右眼用光学系２７Ｒと左眼用光学系２７Ｌとを有する。光分岐部２０は、制御装置１８から光ファイバ３０を介して供給された検査光を右眼用光学系２７Ｒと左眼用光学系２７Ｌとに分岐させる。
【００４５】
右眼用光学系２７Ｒは、光分岐部２０から光ファイバ３８を介して供給された検査光を網膜４６Ｒに導く。左眼用光学系２７Ｌは、光分岐部２０から光ファイバ４０を介して供給された検査光を網膜４６Ｌに導く。
【００４６】
スキャナ２８は、右眼用スキャナ２８Ｒと左眼用スキャナ２８Ｌとを有する。右眼用光学系２７Ｒは、右眼用スキャナ２８Ｒと右眼用反射ミラー４２Ｒとを有する。左眼用光学系２７Ｌは、左眼用スキャナ２８Ｌと左眼用反射ミラー４２Ｌとを有する。
【００４７】
右眼用スキャナ２８Ｒは、ＭＥＭＳミラー５４，５６を有し、右眼用光授受部５２を介して供給されたレーザ光を走査する。右眼用光授受部５２は、レーザ光分岐部２０から光ファイバ３８を介して供給されたレーザ光を照射する。右眼用光授受部５２によるレーザ光の照射方向には、ＭＥＭＳミラー５４が配置されており、ＭＥＭＳミラー５４は、右眼用光授受部５２から照射されたレーザ光を反射させることで、ＭＥＭＳミラー５６に導く。ＭＥＭＳミラー５６は、ＭＥＭＳミラー５４によって導かれたレーザ光を反射させることで、右眼用反射ミラー４２Ｒに導く。
【００４８】
ここで、例えば、ＭＥＭＳミラー５４はＹ方向にレーザ光を走査し、ＭＥＭＳミラー５６はＸ方向にレーザ光を走査する。ＭＥＭＳミラー５４，５６により網膜に対して二次元走査が可能となり、映像を二次元走査して網膜へ投影することが可能となる。
【００４９】
なお、ＭＥＭＳミラー５４をＸ方向の走査とし、ＭＥＭＳミラー５６をＹ方向の走査とするようにしてもよいことは言うまでもない。
【００５０】
更に、右眼用スキャナ２８Ｒは、反射ミラー４２ＲとＸＹ方向に走査可能なＭＥＭＳミラー５６とするようにしてもよい。
【００５１】
右眼用反射ミラー４２Ｒは、右眼用スキャナ２８Ｒにより走査された検査光を網膜４６Ｒに反射させる。
【００５２】
また、右眼用光授受部５２は、後述の右眼底光を取り込み、取り込んだ右眼底光を光ファイバ３８、光分岐部２０、及び光ファイバ３０を介して光管理部１１６に供給する。
【００５３】
右眼用反射ミラー４２Ｒは、湾曲面４２Ｒ１を有する。湾曲面４２Ｒ１は、アイウエア端末装置１６が装着された状態の患者の右眼４４Ｒから見て凹状に形成された面であり、ＭＥＭＳミラー５６によって導かれた検査光を反射させることで、右眼４４Ｒの瞳孔下の水晶体６４Ｒを通して右眼４４Ｒの網膜４６Ｒに検査光を導く。
【００５４】
左眼用スキャナ２８Ｌは、ＭＥＭＳミラー６０，６２を有し、左眼用光授受部５８を介して供給されたレーザ光を走査する。左眼用光授受部５８は、レーザ光分岐部２０から光ファイバ４０を介して供給されたレーザ光を照射する。左眼用光授受部５８によるレーザ光の照射方向には、ＭＥＭＳミラー６０が配置されており、ＭＥＭＳミラー６０は、左眼用光授受部５８から照射されたレーザ光を反射させることで、ＭＥＭＳミラー６２に導く。ＭＥＭＳミラー６２は、ＭＥＭＳミラー６０によって導かれたレーザ光を反射させることで、左眼用反射ミラー４２Ｌに導く。
【００５５】
ここで、例えば、ＭＥＭＳミラー６０はＹ方向にレーザ光を走査し、ＭＥＭＳミラー６２はＸ方向にレーザ光を走査する。ＭＥＭＳミラー６０，６２により網膜に対して二次元走査が可能となり、映像を二次元走査して網膜へ投影することが可能となる。
【００５６】
なお、ＭＥＭＳミラー６０をＸ方向の走査、ＭＥＭＳミラー６２をＹ方向の走査とするようにしてもよいことは言うまでもない。
【００５７】
更に、左眼用スキャナ２８Ｌは、反射ミラー４２ＬとＸＹ方向に走査可能なＭＥＭＳミラー５６とするようにしてもよい。
【００５８】
図２に示す例では、ＭＥＭＳミラー５４，５６，６０，６２が例示されているが、本開示の技術はこれに限定されるものではない。例えば、ＭＥＭＳミラー５４，５６，６０，６２に代えて、又は、ＭＥＭＳミラー５４，５６，６０，６２のうちの少なくとも１つと共に、ガルバノミラー及び／又はポリゴンミラー等の、電気的に反射面の位置を制御可能なミラーを用いてもよい。
【００５９】
左眼用反射ミラー４２Ｌは、左眼用スキャナ２８Ｌにより走査された検査光を網膜４６Ｌに反射させる。
【００６０】
また、左眼用光授受部５８は、後述の左眼底光を取り込み、取り込んだ左眼底光を光ファイバ４０、光分岐部２０、及び光ファイバ３０を介して光管理部１１６に供給する。
【００６１】
左眼用反射ミラー４２Ｌは、湾曲面４２Ｌ１を有する。湾曲面４２Ｌ１は、アイウエア端末装置１６が装着された状態の患者の左眼４４Ｌから見て凹状に形成された面であり、ＭＥＭＳミラー６２によって導かれた検査光を反射させることで、左眼４６Ｒの瞳孔下の水晶体６４Ｌを通して左眼４４Ｌの網膜４６Ｌに検査光を導く。
【００６２】
なお、以下では、説明の便宜上、水晶体６４Ｒ，６４Ｌを区別して説明する必要がない場合、「水晶体６４」と称する。
【００６３】
光学系２７は、右眼用スライド機構７０Ｒ、左眼用スライド機構７０Ｌ、右眼用駆動源７２Ｒ、及び左眼用駆動源７２Ｌを備えている。右眼用駆動源７２Ｒ及び左眼用駆動源７２Ｌの一例としては、ステッピングモータ、ソレノイド、又は圧電素子などが挙げられる。なお、以下では、説明の便宜上、右眼用駆動源７２Ｒ及び左眼用駆動源７２Ｌを区別して説明する必要がない場合、「ミラー駆動源７２」と称する。
【００６４】
右眼用スライド機構７０Ｒは、リム２２に取り付けられており、右眼用反射ミラー４２Ｒを左右方向にスライド可能に保持している。右眼用スライド機構７０Ｒは、右眼用駆動源７２Ｒに接続されており、右眼用駆動源７２Ｒによって生成された動力を受けることで、右眼用反射ミラー４２Ｒを左右方向にスライドさせる。
【００６５】
左眼用スライド機構７０Ｌは、リム２２に取り付けられており、左眼用反射ミラー４２Ｌを左右方向にスライド可能に保持している。左眼用スライド機構７０Ｌは、左眼用駆動源７２Ｌに接続されており、左眼用駆動源７２Ｌによって生成された動力を受けることで、左眼用反射ミラー４２Ｌを左右方向にスライドさせる。
【００６６】
なお、本実施形態に係る眼科システム１０では、マックスウェル視光学系によって被検眼４４の網膜４６に対してレーザ光に基づく映像が投影される。ここで言う「マックスウェル視光学系」とは、被検眼４４の瞳孔下の水晶体６４でレーザ光が収束され、水晶体６４で収束されたレーザ光が被検眼４４の網膜４６に照射されることで、レーザ光に基づく映像が被検眼４４の網膜４６に投影される光学系を指す。本実施形態に係る眼科システム１０では、スキャナ２８及びミラー駆動源７２が制御装置１８によって制御されることで、マックスウェル視光学系が実現される。
【００６７】
一例として図３に示すように、管理装置１４は、主制御部８０、無線通信部８２、受付デバイス８４、タッチパネル・ディスプレイ８６、及び外部Ｉ／Ｆ８８を備えている。なお、主制御部８０は、本開示の技術に係る管理装置側制御部の一例である。
【００６８】
主制御部８０は、ＣＰＵ９０、一次記憶部９２、二次記憶部９４、バスライン９６、及びＩ／Ｏ９８を含む。ＣＰＵ９０、一次記憶部９２、及び二次記憶部９４は、バスライン９６を介して接続されている。バスライン９６には、Ｉ／Ｏ９８が接続されている。なお、本実施形態では、ＣＰＵ９０として単数のＣＰＵを採用しているが、ＣＰＵ９０に代えて複数のＣＰＵを採用してもよい。
【００６９】
ＣＰＵ９０は、管理装置１４の全体を制御する。一次記憶部９２は、各種プログラムの実行時のワークエリア等として用いられる揮発性のメモリであり、一次記憶部９２の一例としては、ＲＡＭが挙げられる。二次記憶部９４は、管理装置１４の基本的な動作を制御するプログラム及び各種パラメータ等を記憶する不揮発性のメモリである。二次記憶部９４の一例としては、ＨＤＤ、ＥＥＰＲＯＭ、又はフラッシュメモリ等が挙げられる。
【００７０】
無線通信部８２は、Ｉ／Ｏ９８に接続されている。ＣＰＵ９０は、制御装置１８への送信対象とされる電気信号を無線通信部８２に出力する。無線通信部８２は、ＣＰＵ９０から入力された電気信号を電波で制御装置１８に送信する。また、無線通信部８２は、制御装置１８からの電波を受信し、受信した電波に応じた電気信号をＣＰＵ９０に出力する。なお、無線通信部８２は、本開示の技術に係る通信部の一例である。すなわち、無線通信部８２は、ウエアラブル端末装置１２に対して、後述の制御部１７０（図１４参照）を制御する制御情報であって、患者の両眼のうちの眼科検査の検査対象眼を指示する指示情報を有する制御情報をウエアラブル端末装置１２に対して送信する。
【００７１】
受付デバイス８４は、タッチパネル８４Ａ、キーボード８４Ｂ、及びマウス８４Ｃを含み、タッチパネル８４Ａ、キーボード８４Ｂ、及びマウス８４Ｃは、Ｉ／Ｏ９８に接続されている。従って、ＣＰＵ９０は、タッチパネル８４Ａ、キーボード８４Ｂ、及びマウス８４Ｃの各々によって受け付けられた各種指示を把握することができる。
【００７２】
外部Ｉ／Ｆ８８は、サーバ装置１５、パーソナル・コンピュータ、及び／又はＵＳＢメモリ等の外部装置に接続され、外部装置とＣＰＵ９０との間の各種情報の送受信を司る。なお、図３に示す例では、外部Ｉ／Ｆ８８は、ケーブル２３を介してサーバ装置１５に接続されている。
【００７３】
タッチパネル・ディスプレイ８６は、ディスプレイ８６Ａ及びタッチパネル８４Ａを含む。ディスプレイ８６Ａは、本開示の技術に係る表示部の一例である。ディスプレイ８６Ａは、Ｉ／Ｏ９８に接続されており、ＣＰＵ９０の制御下で、映像を含む各種情報を表示する。タッチパネル８４Ａは、透過型のタッチパネルであり、ディスプレイ８６Ａに重ねられている。
【００７４】
二次記憶部９４は、端末管理プログラム９４Ａ、表示制御プログラム９４Ｂ、及び通信エラー対応プログラム９４Ｃを記憶している。以下では、説明の便宜上、端末管理プログラム９４Ａ、表示制御プログラム９４Ｂ、及び通信エラー対応プログラム９４Ｃを区別して説明する必要がない場合、これらを「管理装置側プログラム」と称する。
【００７５】
ＣＰＵ９０は、二次記憶部９４から管理装置側プログラムを読み出し、読み出した管理装置側プログラムを一次記憶部９２に展開する。そして、ＣＰＵ９０は、一次記憶部９２に展開した管理装置側プログラムを実行する。
【００７６】
制御装置１８は、前述した応答ボタン１９の他に、主制御部１１０、無線通信部１１２、及び光管理部１１６を備えている。主制御部１１０、無線通信部１１２、及び光管理部１１６は、同一の筐体内に収容されている。なお、主制御部１１０は、本開示の技術に係る制御部の一例である。
【００７７】
主制御部１１０は、ＣＰＵ１２０、一次記憶部１２２、二次記憶部１２４、バスライン１２６、及びＩ／Ｏ１２８を含む。ＣＰＵ１２０、一次記憶部１２２、及び二次記憶部１２４は、バスライン１２６を介して接続されている。バスライン１２６には、Ｉ／Ｏ１２８が接続されている。なお、本実施形態では、ＣＰＵ１２０として単数のＣＰＵを採用しているが、ＣＰＵ１２０に代えて複数のＣＰＵを採用してもよい。
【００７８】
ＣＰＵ１２０は、ウエアラブル端末装置１２の全体を制御する。一次記憶部１２２は、各種プログラムの実行時のワークエリア等として用いられる揮発性のメモリであり、一次記憶部１２２の一例としては、ＲＡＭが挙げられる。二次記憶部１２４は、ウエアラブル端末装置１２の基本的な動作を制御するプログラム及び各種パラメータ等を記憶する不揮発性のメモリである。二次記憶部１２４の一例としては、ＨＤＤ、ＥＥＰＲＯＭ、又はフラッシュメモリ等が挙げられる。
【００７９】
応答ボタン１９は、Ｉ／Ｏ１２８に接続されており、応答ボタン１９が押下されると、応答信号が応答ボタン１９からＣＰＵ１２０に出力される。
【００８０】
無線通信部１１２は、ウエアラブル端末装置１２による眼科検査の管理を管理装置１４に対して行わせるように管理装置１４との間で無線通信を行う。無線通信部１１２は、Ｉ／Ｏ１２８に接続されている。ＣＰＵ１２０は、管理装置１４への送信対象とされる電気信号を無線通信部１１２に出力する。無線通信部１１２は、ＣＰＵ１２０から入力された電気信号を電波で管理装置１４に送信する。また、無線通信部１１２は、管理装置１４からの電波を受信し、受信した電波に応じた電気信号をＣＰＵ１２０に出力する。
【００８１】
光管理部１１６は、本開示の技術に係る射出部の一例であり、光ファイバ３０を介して光分岐部２０に接続されている。光管理部１１６は、検査光を生成し、生成した検査光を、光ファイバ３０を介して光分岐部２０に射出する。
【００８２】
一例として図５に示すように、光管理部１１６は、光源１１４、光源制御回路１１５、及び光検出部１１７を備えている。光源制御回路１１５は、Ｉ／Ｏ１２８に接続されている。また、光源制御回路１１５は、光源１１４に接続されている。光源制御回路１１５は、ＣＰＵ１２０の指示に従って光源制御信号を光源１１４に供給することで、光源１１４を制御する。
【００８３】
光源１１４は、レーザ光源ユニット１１３、ＩＲレーザ光源１１４Ｄ、及びミラーユニット１３０を含む。レーザ光源ユニット１１３は、本開示の技術に係る第１光源及びＳＬＯ用光源の一例であり、ＩＲレーザ光源１１４Ｄは、本開示の技術に係る第２光源及びＯＣＴ用光源の一例である。レーザ光源ユニット１１３は、Ｒ光源１１４Ａ、Ｇ光源１１４Ｂ、及びＢ光源１１４Ｃを備えており、可視光を発する。
【００８４】
Ｒ光源１１４Ａは、Ｒ、Ｇ、及びＢのうちのＲのレーザ光であるＲレーザ光を射出する。Ｇ光源１１４Ｂは、Ｒ、Ｇ、及びＢのうちのＧのレーザ光であるＧレーザ光を射出する。Ｂ光源１１４Ｃは、Ｒ、Ｇ、及びＢのうちのＢのレーザ光であるＢレーザ光を射出する。ＩＲレーザ光源１１４Ｄは、ＩＲレーザ光を射出する。
【００８５】
ミラーユニット１３０は、第１ミラー１３０Ａ、第２ミラー１３０Ｂ、及び第３ミラー１３０Ｃを備えている。第１ミラー１３０Ａ、第２ミラー１３０Ｂ、及び第３ミラー１３０Ｃのうち、第２ミラー１３０Ｂは、ダイクロイックミラーであり、Ｂレーザ光を透過させ、且つ、Ｇレーザ光を反射する。第３ミラー１３０Ｃは、ダイクロイックミラーであり、Ｒレーザ光を透過させ、且つ、Ｇレーザ光及びＢレーザ光を反射する。
【００８６】
第１ミラー１３０Ａは、Ｂ光源１１４ＣによるＢレーザ光の射出方向に配置されており、Ｂ光源１１４Ｃから射出されたＢレーザ光を反射させることで、第２ミラー１３０ＢにＢレーザ光を導く。
【００８７】
第２ミラー１３０Ｂは、Ｇ光源１１４ＢによるＧレーザ光の射出方向であり、且つ、第１ミラー１３０Ａで反射されたＢレーザ光の進行方向に配置されている。第２ミラー１３０Ｂは、Ｇ光源１１４Ｂから射出されたＧレーザ光を反射させることで、第１ミラー１３０ＡにＧレーザ光を導き、且つ、第１ミラー１３０Ａで反射されたＢレーザ光を透過させることで、第１ミラー１３０ＡにＢレーザ光を導く。
【００８８】
第３ミラー１３０Ｃは、Ｒ光源１１４ＡによるＲレーザ光の射出方向であり、且つ、第２ミラー１３０Ｂで反射されたＧレーザ光の進行方向であり、且つ、第２ミラー１３０Ｂを透過したＧレーザ光の進行方向に配置されている。第３ミラー１３０Ｃは、Ｒ光源１１４Ａから射出されたＲレーザ光を透過させる。また、第３ミラー１３０Ｃは、Ｒレーザ光と同方向にＧレーザ光及びＢレーザ光を反射させることで、Ｒレーザ光、Ｇレーザ光及びＢレーザ光を外部に射出する。従って、光源１１４からは外部に３原色レーザ光が射出される。
【００８９】
光検出部１１７は、ビームスプリッタ１２９，１３５及びミラー１３７，１４３を備えている。また、光検出部１１７は、ＳＬＯ光検出部１３１及びＯＣＴ光検出部１３３を備えている。
【００９０】
ビームスプリッタ１３５は、光源１１４から射出されたＩＲレーザ光の射出方向に配置されている。ミラー１３７は、光源１１４から射出された３原色レーザ光の射出方向に配置されている。ビームスプリッタ１３５は、光源１１４からのＩＲレーザ光の一部を反射させることでミラー１３７に導き、且つ、ＩＲレーザ光の一部を透過させることで参照光としてＯＣＴ光検出部１３３に供給される。
【００９１】
ミラー１３７は、ダイクロイックミラーであり、光源１１４からのレーザ光を透過させ、且つ、ビームスプリッタ１３５によって導かれたＩＲレーザ光を反射させる。
【００９２】
ビームスプリッタ１２９は、ダイクロイックミラーであり、ミラー１３７によって導かれた検査光の進行方向、すなわち、ミラー１３７を透過したレーザ光及びミラー１３７によって反射されたＩＲレーザ光の進行方向に配置されている。
【００９３】
ビームスプリッタ１２９は、ミラー１３７によって導かれた検査光を反射させることで、検査光を光ファイバ３０に導く。また、ビームスプリッタ１２９は、眼底光を透過させる。眼底光とは、被検眼４４の眼底からの反射光を指す。眼底光は、光ファイバ３０からビームスプリッタ１２９に導かれる。なお、検査光は、左眼用光と右眼用光とに大別される。ここで、左眼用光とは、左眼用光学系２７Ｌに対して用いられる検査光を指し、右眼用光とは、右眼用光学系２７Ｒに対して用いられる検査光を指す。
【００９４】
なお、眼底光は、左眼底光と右眼底光とに大別される。左眼底光とは、左眼４４Ｌの眼底からの反射光、すなわち、左眼用光が左眼４４Ｌの眼底（例えば、網膜４６Ｌ（図２参照））で反射されて得られた光を指す。右眼底光とは、右眼４４Ｒの眼底からの反射光、すなわち、右眼用光が右眼４４Ｒの眼底（例えば、網膜４６Ｒ（図２参照））で反射されて得られた光を指す。
【００９５】
左眼底光は、左眼４４ＬがＳＬＯ撮影された場合の左眼ＳＬＯ光と左眼４４ＬがＯＣＴ撮影された場合の左眼ＯＣＴ光（信号光）とに大別される。ここで、ＳＬＯ撮影とは、網膜４６を被写体としたＳＬＯによる撮影を指す。ＯＣＴ撮影とは、網膜４６を被写体としたＯＣＴによる撮影を指す。左眼ＳＬＯ光とは、レーザ光が網膜４６Ｌで反射されて得られた光を指す。左眼ＯＣＴ光とは、ＩＲレーザ光が網膜４６Ｌで反射されて得られた光を指す。
【００９６】
右眼底光は、右眼４４ＲがＳＬＯ撮影された場合の右眼ＳＬＯ光と右眼４４ＲがＯＣＴ撮影された場合の右眼ＯＣＴ光（信号光）とに大別される。右眼ＳＬＯ光とは、レーザ光が網膜４６Ｒで反射されて得られた光を指す。右眼ＯＣＴ光とは、ＩＲレーザ光が網膜４６Ｒで反射されて得られた光を指す。
【００９７】
なお、以下では、説明の便宜上、左眼ＳＬＯ光と右眼ＳＬＯ光とを区別して説明する必要がない場合、「ＳＬＯ光」と称する。また、以下では、説明の便宜上、左眼ＯＣＴ光と右眼ＯＣＴ光とを区別して説明する必要がない場合、「ＯＣＴ光」と称する。
【００９８】
ミラー１４３は、ダイクロイックミラーであり、ＳＬＯ撮影の場合はＳＬＯ光（信号光）をＳＬＯ光検出部１３１に導き、ＣＯＴ撮影の場合はＯＣＴ光（信号光）をＯＣＴ光検出部１３３に導き、同じ眼でＳＬＯ撮影とＯＣＴ撮影とが同時に行われる場合は眼底光をＳＬＯ光とＯＣＴ光とに分離し、ＳＬＯ光を光検出部１３１に導き、ＯＣＴ光をＯＣＴ光検出部１３３に導く。すなわち、ミラー１４３は、ビームスプリッタ１２９を透過した右眼底光のうちの右眼ＳＬＯ光を反射させることでＳＬＯ光検出部１３１に導き、右眼ＯＣＴ光を透過させることでＯＣＴ光検出部１３３に導く。また、ミラー１４３は、ビームスプリッタ１２９を透過した左眼底光のうちの左眼ＳＬＯ光を反射させることでＳＬＯ光検出部１３１に導き、左眼ＯＣＴ光を透過させることでＯＣＴ光検出部１３３に導く。
【００９９】
ＳＬＯ光検出部１３１は、ＳＬＯ光を検出する。ＳＬＯ光検出部１３１は、Ｉ／Ｏ１２８に接続されており、ＳＬＯ光の検出結果を示すＳＬＯ検出情報をＣＰＵ１２０に出力する。なお、ＳＬＯ検出情報は、左眼ＳＬＯ光の検出結果を示す左眼ＳＬＯ検出情報と右眼ＳＬＯ光の検出結果を示す右眼ＳＬＯ検出情報とに大別される。本実施形態では、ＳＬＯ検情報に基づいて平面の二次元眼底画像が生成される。
【０１００】
ＯＣＴ光検出部１３３は、参照光とＯＣＴ光（信号光）とが干渉した干渉光を検出する。ＯＣＴ光検出部１３３は、Ｉ／Ｏ１２８に接続されており、干渉光の検出結果を示すＯＣＴ検出情報をＣＰＵ１２０に出力する。なお、ＯＣＴ検出情報は、左眼ＯＣＴ光に基づく検出結果を示す左眼ＯＣＴ検出情報と右眼ＯＣＴ光に基づく検出結果を示す右眼ＯＣＴ検出情報とに大別され、網膜４６の断面画像及び／又は網膜４６の立体形状を示す立体画像を描画するためのＯＣＴデータを含む。
【０１０１】
一例として図３に示すように、バスライン３２は、Ｉ／Ｏ１２８に接続されており、光分岐部２０は、バスライン３２に接続されている。従って、光分岐部２０は、ＣＰＵ１２０の制御下で動作する。
【０１０２】
一例として図６に示すように、光分岐部２０は、右眼用シャッタ１２１Ｒ、左眼用シャッタ１２１Ｌ、第３スライド機構１２２Ｒ、第４スライド機構１２２Ｌ、右眼シャッタ用駆動源１３４Ｒ、左眼シャッタ用駆動源１３４Ｌ、ビームスプリッタ１３６、及び反射ミラー１３８を備えている。
【０１０３】
なお、以下では、説明の便宜上、右眼用シャッタ１２１Ｒ及び左眼用シャッタ１２１Ｌを区別して説明する必要がない場合、「シャッタ１２１」と称する。
【０１０４】
ビームスプリッタ１３６は、光管理部１１６から光ファイバ３０を介して供給された検査光である左眼用光を反射させ、且つ、透過させる。ビームスプリッタ１３６で反射した左眼用光は、光ファイバ４０（図１及び図２参照）に向けて進行する。また、ビームスプリッタ１３６には、光ファイバ４０を介して左眼底光が供給され、ビームスプリッタ１３６は、左眼底光を反射させることで光ファイバ３０に導く。
【０１０５】
反射ミラー１３８は、ビームスプリッタ１３６を透過した検査光である右眼用光を反射させる。反射ミラー１３８で反射した右眼用光は、光ファイバ３８（図１及び図２参照）に向けて進行する。また、ビームスプリッタ１３６には、光ファイバ３８を介して右眼底光が供給され、ビームスプリッタ１３６は、右眼底光を反射させることで光ファイバ３０に導く。
【０１０６】
第３スライド機構１２２Ｒは、右眼用シャッタ１２１Ｒを第１位置Ｐ１と第２位置Ｐ２との間でスライド可能に保持している。第１位置Ｐ１とは、右眼用光を通過させて光ファイバ３８に導き、右眼底光を通過させて反射ミラー１３８に導く位置を指し、第２位置Ｐ２とは、右眼用光及び右眼底光を遮蔽する位置を指す。
【０１０７】
第４スライド機構１２２Ｌは、左眼用シャッタ１２１Ｌを第３位置Ｐ３と第４位置Ｐ４との間でスライド可能に保持している。第３位置Ｐ３とは、左眼用光を通過させて光ファイバ４０に導き、左眼底光を通過させてビームスプリッタに導く位置を指し、第４位置Ｐ４とは、左眼用光及び左眼底光を遮蔽する位置を指す。
【０１０８】
右眼シャッタ用駆動源１３４Ｒ及び左眼シャッタ用駆動源１３４Ｌの一例としては、ステッピングモータ、ソレノイド、又は圧電素子などが挙げられる。右眼シャッタ用駆動源１３４Ｒ及び左眼シャッタ用駆動源１３４Ｌは、バスライン３２に接続されており、右眼シャッタ用駆動源１３４Ｒ及び左眼シャッタ用駆動源１３４Ｌは、ＣＰＵ１２０の制御下で作動する。
【０１０９】
第３スライド機構１２２Ｒは、右眼シャッタ用駆動源１３４Ｒに接続されており、右眼シャッタ用駆動源１３４Ｒによって生成された動力を受けることで右眼用シャッタ１２１Ｒを第１位置Ｐ１と第２位置Ｐ２との間でスライドさせる。
【０１１０】
第４スライド機構１２２Ｌは、左眼シャッタ用駆動源１３４Ｌに接続されており、左眼シャッタ用駆動源１３４Ｌによって生成された動力を受けることで左眼用シャッタ１２１Ｌを第３位置Ｐ３と第４位置Ｐ４との間でスライドさせる。
【０１１１】
なお、図６に示す例では、右眼用シャッタ１２１Ｒが第１位置Ｐ１に配置されているので、右眼用光は光ファイバ３８に供給され、右眼底光が反射ミラー１３８に導かれる。また、図６に示す例では、左眼用シャッタ１２１Ｌが第４位置Ｐ４に配置されているので、左眼用光及び左眼底光は左眼用シャッタ１２１Ｌによって遮蔽される。
【０１１２】
一例として図３に示すように、スピーカ１４０は、バスライン３２に接続されており、ＣＰＵ１２０の制御下で音声を出力する。
【０１１３】
バスライン３２には、右眼用駆動源７２Ｒ及び左眼用駆動源７２Ｌが接続されており、ＣＰＵ１２０は、右眼用駆動源７２Ｒ及び左眼用駆動源７２Ｌを制御する。
【０１１４】
バスライン３２には、右眼用インカメラ４８Ｒ及び左眼用インカメラ４８Ｌが接続されており、ＣＰＵ１２０は、左眼用インカメラ４８Ｌ及び右眼用インカメラ４８Ｒとの間で各種情報の授受を行う。
【０１１５】
バスライン３２には、右眼用光授受部５２、左眼用光授受部５８、及びＭＥＭＳミラー５４，５６，６０，６２が接続されており、ＣＰＵ１２０は、右眼用光授受部５２、左眼用光授受部５８、及びＭＥＭＳミラー５４，５６，６０，６２を制御する。
【０１１６】
バスライン３２には、装着検出器１３９が接続されている。装着検出器１３９は、例えば、感圧センサである。装着検出器１３９は、アイウエア端末装置１６のフレームに設けられており、アイウエア端末装置１６が正しく装着されたことを検出する。ＣＰＵ１２０は、装着検出器１３９での検出結果を取得する。なお、アイウエア端末装置３５０のフレームとは、例えば、リム２２及びテンプル２４を指す。
【０１１７】
二次記憶部１２４は、端末側プログラム１２４Ａを記憶している。ＣＰＵ１２０は、二次記憶部１２４から端末側プログラム１２４Ａを読み出し、読み出した端末側プログラム１２４Ａを一次記憶部１２２に展開する。そして、ＣＰＵ１２０は、一次記憶部１２２に展開した端末側プログラム１２４Ａを実行する。
【０１１８】
一例として図４に示すように、サーバ装置１５は、主制御部１５０、受付デバイス１５４、タッチパネル・ディスプレイ１５６、及び外部Ｉ／Ｆ１５８を備えている。
【０１１９】
主制御部１５０は、ＣＰＵ１６０、一次記憶部１６２、二次記憶部１６４、バスライン１６６、及びＩ／Ｏ１６８を含む。ＣＰＵ１６０、一次記憶部１６２、及び二次記憶部１６４は、バスライン１６６を介して接続されている。バスライン１６６には、Ｉ／Ｏ１６８が接続されている。なお、本実施形態では、ＣＰＵ１６０として単数のＣＰＵを採用しているが、ＣＰＵ１６０に代えて複数のＣＰＵを採用してもよい。
【０１２０】
ＣＰＵ１６０は、サーバ装置１５の全体を制御する。一次記憶部１６２は、各種プログラムの実行時のワークエリア等として用いられる揮発性のメモリであり、一次記憶部１６２の一例としては、ＲＡＭが挙げられる。二次記憶部１６４は、サーバ装置１６４の基本的な動作を制御するプログラム及び各種パラメータ等を記憶する不揮発性のメモリである。二次記憶部１６４の一例としては、ＨＤＤ、ＥＥＰＲＯＭ、又はフラッシュメモリ等が挙げられる。
【０１２１】
受付デバイス１５４は、タッチパネル１５４Ａ、キーボード１５４Ｂ、及びマウス１５４Ｃを含み、タッチパネル１５４Ａ、キーボード１５４Ｂ、及びマウス１５４Ｃは、Ｉ／Ｏ１６８に接続されている。従って、ＣＰＵ１６０は、タッチパネル１５４Ａ、キーボード１５４Ｂ、及びマウス１５４Ｃの各々によって受け付けられた各種指示を把握することができる。
【０１２２】
外部Ｉ／Ｆ１５８は、管理装置１４、パーソナル・コンピュータ、及び／又はＵＳＢメモリ等の外部装置に接続され、外部装置とＣＰＵ１６０との間の各種情報の送受信を司る。なお、図４に示す例では、外部Ｉ／Ｆ１５８は、ケーブル２３を介して管理装置１４の外部Ｉ／Ｆ８８に接続されている。
【０１２３】
タッチパネル・ディスプレイ１５６は、ディスプレイ１５６Ａ及びタッチパネル１５４Ａを含む。ディスプレイ８６Ａは、Ｉ／Ｏ１６８に接続されており、ＣＰＵ１６０の制御下で、映像を含む各種情報を表示する。タッチパネル１５４Ａは、透過型のタッチパネルであり、ディスプレイ１５６Ａに重ねられている。
【０１２４】
二次記憶部１６４は、患者情報１６４Ａ及びサーバ側プログラム１６４Ｂを記憶している。
【０１２５】
患者情報１６４Ａは、患者に関する情報である。本実施形態において、患者情報１６４Ａには、患者のプロフィール情報１６４Ａ１（例えば、患者を特定するＩＤ、患者の名前、患者の性別、患者の年齢、身体情報、過去の治療歴、来院状況など現在の患者情報から、疾患のリスクや身体状態など）と、患者に対して行われた検眼情報１６４Ａ２（例えば、角膜屈折力、角膜波面収差、視力、近視/遠視/乱視、視野、眼軸長、眼底写真などの別の検眼機器（屈折力測定器、眼軸長測定器、視力検査器、前眼部測定器、後眼部測定器など）により得られた患者の右眼/左眼に関する情報）と、を含む。
【０１２６】
一例として図４に示すように、ビューワ１７は、主制御部１７Ａ、タッチパネル・ディスプレイ１７Ｂ、受付デバイス１７Ｄ、及び外部Ｉ／Ｆ１７Ｍを備えている。
【０１２７】
主制御部１７Ａは、ＣＰＵ１７Ｈ、一次記憶部１７Ｉ、二次記憶部１７Ｊ、バスライン１７Ｋ、及びＩ／Ｏ１７Ｌを含む。ＣＰＵ１７Ｈ、一次記憶部１７Ｉ、及び二次記憶部１７Ｊは、バスライン１７Ｋを介して接続されている。バスライン１７Ｋには、Ｉ／Ｏ１７Ｌが接続されている。なお、本実施形態では、ＣＰＵ１７Ｈとして単数のＣＰＵを採用しているが、ＣＰＵ１７Ｈに代えて複数のＣＰＵを採用してもよい。
【０１２８】
ＣＰＵ１７Ｈは、ビューワ１７の全体を制御する。一次記憶部１７Ｉは、各種プログラムの実行時のワークエリア等として用いられる揮発性のメモリであり、一次記憶部１７Ｉの一例としては、ＲＡＭが挙げられる。二次記憶部１７Ｊは、ビューワ１７の基本的な動作を制御するプログラム及び各種パラメータ等を記憶する不揮発性のメモリである。二次記憶部１７Ｊの一例としては、ＨＤＤ、ＥＥＰＲＯＭ、又はフラッシュメモリ等が挙げられる。二次記憶部１６４は、ビューワ側プログラム１７Ｊ１を記憶している。
【０１２９】
受付デバイス１７Ｄは、タッチパネル１７Ｅ、キーボード１７Ｆ、及びマウス１７Ｇを含み、タッチパネル１７Ｅ、キーボード１７Ｆ、及びマウス１７Ｇは、Ｉ／Ｏ１７Ｌに接続されている。従って、ＣＰＵ１７Ｈは、タッチパネル１７Ｅ、キーボード１７Ｆ、及びマウス１７Ｇの各々によって受け付けられた各種指示を把握することができる。
【０１３０】
外部Ｉ／Ｆ１７Ｍは、管理装置１４、サーバ装置１５、パーソナル・コンピュータ、及び／又はＵＳＢメモリ等の外部装置に接続され、外部装置とＣＰＵ１７Ｈとの間の各種情報の送受信を司る。なお、図４に示す例では、外部Ｉ／Ｆ１７Ｍは、ケーブル２３を介して管理装置１４の外部Ｉ／Ｆ８８及びサーバ装置１５の外部Ｉ／Ｆ１５８に接続されている。
【０１３１】
タッチパネル・ディスプレイ１７Ｂは、ディスプレイ１７Ｃ及びタッチパネル１７Ｅを含む。ディスプレイ１７Ｃは、Ｉ／Ｏ１７Ｌに接続されており、ＣＰＵ１７Ｈの制御下で、映像を含む各種情報を表示する。タッチパネル１７Ｅは、透過型のタッチパネルであり、ディスプレイ１７Ｃに重ねられている。
【０１３２】
ＣＰＵ１６０は、二次記憶部１６４からサーバ側プログラム１６４Ｂを読み出し、読み出したサーバ側プログラム１６４Ｂを一次記憶部１６２に展開する。そして、ＣＰＵ１６０は、一次記憶部１６２に展開したサーバ側プログラム１６４Ｂを実行する。
【０１３３】
ウエアラブル端末装置１２に含まれる主制御部１１０のＣＰＵ１２０は、端末側プログラム１２４Ａを実行することで、一例として図１４に示すように、制御部１７０及び処理部１７１として動作する。
【０１３４】
処理部１７１は、ＣＰＵ１２０を制御部１７０として動作させるために必要な処理を行う。制御部１７０は、検査光が網膜４６Ｒ及び／又は網膜４６Ｌに対して照射されるように光管理部１１６及び光学系２７を制御する。
【０１３５】
管理装置１４に含まれる主制御部８０のＣＰＵ９０は、端末管理プログラム９４Ａを実行することで、一例として図１４に示すように、処理部１８０及び取得部１８２として動作する。また、ＣＰＵ９０は、表示制御プログラム９４Ｂを実行することで、一例として図１５に示すように、処理部１８０及び表示制御部１８４として動作する。
【０１３６】
処理部１８０は、ＣＰＵ９０を取得部１８２及び表示制御部１８４として動作させるために必要な処理を行う。取得部１８２は、無線通信部８２，１１２を介してウエアラブル端末装置１２と管理装置１４とが通信を行うことで、知覚情報及び／又は眼底画像情報をウエアラブル端末装置１２から取得する。ここで、眼底画像情報とは、例えば、後述の視野欠損マップ情報、ＳＬＯ画像、及びＯＣＴ画像を指す。
【０１３７】
表示制御部１８４は、眼科検査の進捗状況に応じた画面である進捗状況画面１９０（図１３参照）を生成し、生成した進捗状況画面１９０を含む画像を示す画像信号を出力する。ディスプレイ８６Ａは、表示制御部１８４から入力された画像信号に基づいて進捗状況画面１９０を表示する。すなわち、表示制御部１８４は、ディスプレイ８６Ａに対して、進捗状況画面１９０を表示させるように、ディスプレイ８６Ａを制御する。表示制御部１８４は、無線通信部８２，１１２を介してウエアラブル端末装置１２と管理装置１４とが通信を行うことで、ウエアラブル端末装置１２から眼科検査の進捗状況を示す進捗状況情報を取得する。表示制御部１８４は、進捗状況情報に基づいて進捗状況画面１９０を生成し、生成した進捗状況画面１９０をディスプレイ８６Ａに対して表示させるようにディスプレイ８６Ａを制御する。
【０１３８】
なお、本実施形態では、一例として図１３に示すように、進捗状況画面１９０は、第１進捗状況画面１９０Ａ、第２進捗状況画面１９０Ｂ、第３進捗状況画面１９０Ｃ、第４進捗状況画面１９０Ｄ、第５進捗状況画面１９０Ｅ、及び第６進捗状況画面１９０Ｆに大別される。すなわち、ディスプレイ８６Ａには、第１進捗状況画面１９０Ａ、第２進捗状況画面１９０Ｂ、第３進捗状況画面１９０Ｃ、第４進捗状況画面１９０Ｄ、第５進捗状況画面１９０Ｅ、及び第６進捗状況画面１９０Ｆが表示される。
【０１３９】
次に、眼科システム１０の本開示の技術に係る部分の作用について説明する。
【０１４０】
先ず、端末管理処理の実行開始の指示が受付デバイス８４によって受け付けられた場合にＣＰＵ９０が端末管理プログラム９４Ａを実行することで実現される端末管理処理について図７Ａ及び図７Ｂを参照して説明する。
【０１４１】
また、以下では、説明の便宜上、少なくとも１名の患者がウエアラブル端末装置１２を適切に装備していることを前提として説明する。
【０１４２】
また、以下では、説明の便宜上、固視標が患者に対して視認可能な状態で提示されていることを前提として説明する。
【０１４３】
図７Ａに示す端末管理処理では、先ず、ステップ２００で、処理部１８０は、受付デバイス８４及び／又はサーバ装置１５によって必要な情報が全て受け付けられたか否かを判定する。ここで言う「必要な情報」とは、検査対象眼指示情報、患者ＩＤ、及びアイウエアＩＤ等の眼科検査に要する情報を指す。検査対象眼指示情報とは、右眼４４Ｒ及び左眼４４Ｌのうちの検査対象の被検眼４４を指示する情報を指す。患者ＩＤとは、患者を一意に特定可能な情報を指す。アイウエアＩＤとは、患者に装着されたウエアラブル端末装置１２を一意に特定可能な情報を指す。
【０１４４】
ステップ２００において、受付デバイス８４によって必要な情報が全て受け付けられていない場合は、判定が否定されて、ステップ２０２へ移行する。
【０１４５】
ステップ２００において、受付デバイス８４によって必要な情報が全て受け付けられた場合は、判定が肯定されて、ステップ２０６へ移行する。
【０１４６】
ステップ２０２で、処理部１８０は、不足情報をディスプレイ８６Ａに対して表示させ、その後、ステップ２０４へ移行する。ここで、不足情報とは、例えば、眼科検査に要する情報として不足している情報が何かを示すメッセージを指す。
【０１４７】
ステップ２０４で、処理部１８０は、端末管理処理に係る終了条件を満足したか否かを判定する。端末管理処理に係る終了条件とは、端末管理処理を終了する条件を指す。端末管理処理に係る終了条件の一例としては、所定時間が経過したとの条件、受付デバイス８４が終了指示を受け付けたとの条件、及び／又は端末管理処理を強制的に終了せざるを得ない不具合がＣＰＵ９０によって検出されたとの条件等が挙げられる。
【０１４８】
ステップ２０４において、端末管理処理に係る終了条件を満足していない場合は、判定が否定されて、ステップ２００へ移行する。ステップ２０４において、端末管理処理に係る終了条件を満足した場合は、判定が肯定されて、端末管理処理を終了する。
【０１４９】
ステップ２０６で、処理部１８０は、患者情報１６４Ａの送信を要求する送信要求情報をサーバ装置１５に送信し、その後、ステップ２０８へ移行する。
【０１５０】
本ステップ２０６の処理が実行されることで、後述のサーバ側処理に含まれるステップ２５６の処理によりサーバ装置１５から患者情報等が送信される。
【０１５１】
ここで、患者情報等とは、少なくとも患者情報１６４Ａ及び検査手順情報を含む情報を指す。検査手順情報には、視野検査を行うか否かを示す情報、ＳＬＯ画像検査を行うか否かを示す情報、及びＯＣＴ画像検査を行うか否かの情報が含まれる。また、検査手順情報には、順序パターン情報も含まれる。順序パターン情報とは、視野検査、ＳＬＯ画像検査、及びＯＣＴ画像検査のうちの複数の検査を行う順序のパターン（以下、「順序パターン」と称する）を示す情報を指す。
【０１５２】
順序パターンとしては、例えば、右眼４４Ｒ及び左眼４４Ｌの各々に対して、視野検査、ＳＬＯ画像検査、及びＯＣＴ画像検査のうちの少なくとも２つの検査を組み合わせたパターンが挙げられる。なお、以下では、説明の便宜上、視野検査のみを行う場合、ＳＬＯ画像検査のみを行う場合、ＯＣＴ画像検査のみを行う場合、視野検査、そしてＳＬＯ画像検査、その次にＯＣＴ画像検査の順で検査を行う場合を例に挙げて説明する。
【０１５３】
ステップ２０８で、処理部１８０は、図１０に示すサーバ側処理に含まれるステップ２５５Ａの処理が実行されることで送信された患者情報等が無線通信部８２によって受信されたか否かを判定する。ステップ２０８において、患者情報等が受信されていない場合は、判定が否定されて、ステップ２１０へ移行する。ステップ２０６において、患者情報等が受信された場合は、判定が肯定されて、ステップ２１２へ移行する。
【０１５４】
ステップ２１０で、処理部１８０は、端末管理処理に係る終了条件を満足したか否かを判定する。ステップ２１０において、端末管理処理に係る終了条件を満足していない場合は、判定が否定されて、ステップ２０８へ移行する。ステップ２１０において、端末管理処理に係る終了条件を満足した場合は、判定が肯定されて、端末管理処理を終了する。
【０１５５】
ステップ２１２で、処理部１８０は、無線通信部８２，１１２を介して制御装置１８と通信を行うことで、アイウエア端末装置１６が患者に正しく装着されているか否かを判定する。ステップ２１２において、アイウエア端末装置１６が患者に正しく装着されていない場合は、判定が否定されて、ステップ２１４へ移行する。ステップ２１２において、アイウエア端末装置１６が患者に正しく装着されている場合は、判定が肯定されて、ステップ２１６へ移行する。なお、アイウエア端末装置１６が患者に正しく装着されているか否かは、装着検出器１３９による検出結果に基づいて判定される。
【０１５６】
ステップ２１４で、処理部１８０は、端末管理処理に係る終了条件を満足したか否かを判定する。ステップ２１４において、端末管理処理に係る終了条件を満足していない場合は、判定が否定されて、ステップ２１２へ移行する。ステップ２１４において、端末管理処理に係る終了条件を満足した場合は、判定が肯定されて、端末管理処理を終了する。
【０１５７】
ステップ２１６で、処理部１８０は、制御装置１８と無線通信を行うことで、右眼用インカメラ４８Ｒ及び左眼用インカメラ４８Ｌに対して、被検眼４４の前眼部の撮影を開始させ、その後、図７Ｂに示すステップ２１７へ移行する。
【０１５８】
以下では、説明の便宜上、右眼用インカメラ４８Ｒによって右眼４４Ｒの前眼部が撮影されて得られた画像を右眼前眼部画像と称し、左眼用インカメラ４８Ｌによって左眼４４Ｌの前眼部が撮影されて得られた画像を左眼前眼部画像と称する。また、以下では、説明の便宜上、右眼前眼部画像及び左眼前眼部画像を区別して説明する必要がない場合、単に「前眼部画像」と称する。
【０１５９】
なお、本実施形態において、左眼用インカメラ４８Ｌによる左眼４４Ｌの前眼部の撮影、及び右眼用インカメラ４８Ｒによる右眼４４Ｒの前眼部の撮影は、６０ｆｐｓ（フレーム／秒）のフレームレートで行われる。すなわち、左眼用インカメラ４８Ｌ及び右眼用インカメラ４８Ｒを作動させることにより、被検眼４４の前眼部を被写体とした動画像が処理部１８０によって取得される。
【０１６０】
ステップ２１７で、処理部２１７は、調整指示情報をウエアラブル端末装置１２に送信し、その後、ステップ２１８へ移行する。ここで、調整指示情報とは、反射ミラー４２の位置の調整、レーザ光の光軸の補正、及び原点出しをウエアラブル端末装置１２に指示する情報を指す。
【０１６１】
ステップ２１８（図７Ｂ参照）で、処理部１８０は、制御装置１８と無線通信を行うことで、スピーカ１４０に対してテスト用の音声を出力させ、スピーカ１４０の音声が良好か否かを判定する。テスト用の音声とは、例えば、「音が聞こえたら応答ボタンを押して下さい」等の音声を指す。従って、例えば、スピーカ１４０の音声が良好か否かは、スピーカ１４０からテスト用の音声が出力されている間に、患者によって応答ボタン１９が押されたか否かによって判定される。
【０１６２】
ステップ２１８において、スピーカ１４０の音声が良好でない場合は、判定が否定されて、ステップ２２０へ移行する。ステップ２１８において、スピーカ１４０の音声が良好の場合は、判定が肯定されて、ステップ２２２へ移行する。
【０１６３】
ステップ２２０で、処理部１８０は、端末管理処理に係る終了条件を満足したか否かを判定する。ステップ２２０において、端末管理処理に係る終了条件を満足していない場合は、判定が否定されて、ステップ２１８へ移行する。ステップ２２０において、端末管理処理に係る終了条件を満足した場合は、判定が肯定されて、端末管理処理を終了する。
【０１６４】
ステップ２２２で、処理部１８０は、ステップ２０８で受信された患者情報等に含まれる前述の検査手順情報を参照して、眼科検査のうちの視野検査のみを行うか否かを判定する。ステップ２２２において、眼科検査のうちの視野検査のみを行わない場合は、判定が否定されて、ステップ２２６へ移行する。ステップ２２２において、眼科検査のうちの視野検査のみを行う場合は、判定が肯定されて、ステップ２２４へ移行する。
【０１６５】
ステップ２２４で、処理部１８０は、視野検査指示情報をウエアラブル端末装置１２に送信し、その後、ステップ２３６へ移行する。なお、視野検査指示情報とは、ウエアラブル端末装置１２に対して後述の視野検査処理（図９Ａ及び図９Ｂ）の実行を指示する情報を指す。また、視野検査指示情報には、ステップ２００において受け付けられた必要な情報と、ステップ２０８において無線通信部８２によって受信された患者情報等とが含まれる。
【０１６６】
本実施形態では、端末側プログラム１２４Ａに視野検査用の複数のマーク投影位置情報が組み込まれている。マーク投影位置情報とは、網膜４６にマークを投影する位置（以下、「マーク投影位置」又は「投影位置」とも言う）を示す情報を指す。具体的には、マークを表示させる二次元平面をＸＹ座標や極座標ｒθ、三次元空間をＸＹＺ座標、極座標ｒθφ座標で表す情報である。
【０１６７】
ここで言う「マーク」とは、例えば、正常な網膜４６であれば白色点として知覚されるマークを指す。網膜４６へのマークの投影は、可視光のレーザ光の照射により実現される。
【０１６８】
また、マークの投影位置情報とともにレーザ光の明るさ(強度)を示す情報を組み合わせて、マーク投影情報を視野検査用に保持しておいてもよい。投影位置と明るさ情報とが組み合わされることにより、網膜の感度の情報を視野検査で得ることが可能となる。
【０１６９】
また、端末側プログラム１２４Ａ内の複数のマーク投影位置情報は、制御装置１８の制御部１７０によってスキャナ２８の制御に用いられる。すなわち、スキャナ２８が制御部１７０によって複数のマーク投影位置情報に従って制御されることで、複数のマーク投影位置情報の各々により示される位置（マーク投影位置情報に従った投影位置）にレーザ光が照射される。
【０１７０】
以下では、説明の便宜上、網膜４６にマークを投影する位置を「マーク投影位置」と称する。マーク投影位置は、本開示の技術に係る「特定位置」の一例である。
【０１７１】
ステップ２２６で、処理部１８０は、ステップ２０８で受信された患者情報等に含まれる前述の検査手順情報を参照して、眼科検査のうちのＳＬＯ画像検査のみを行うか否かを判定する。ステップ２２４において、眼科検査のうちのＳＬＯ画像検査のみを行わない場合は、判定が否定されて、ステップ２３０へ移行する。ステップ２２６において、眼科検査のうちのＳＬＯ画像検査のみを行う場合は、判定が肯定されて、ステップ２２８へ移行する。
【０１７２】
ステップ２２８で、処理部１８０は、ＳＬＯ画像検査指示情報をウエアラブル端末装置１２に送信し、その後、ステップ２３６へ移行する。なお、ＳＬＯ画像検査指示情報とは、ウエアラブル端末装置１２に対して後述のＳＬＯ画像検査処理（図９Ｃ）の実行を指示する情報を指す。また、ＳＬＯ画像検査指示情報には、ステップ２００において受け付けられた必要な情報と、ステップ２０８において無線通信部８２によって受信された患者情報等とが含まれる。
【０１７３】
ステップ２３０で、処理部１８０は、ステップ２０８で受信された患者情報等に含まれる前述の検査手順情報を参照して、眼科検査のうちのＯＣＴ画像検査のみを行うか否かを判定する。ステップ２３０において、眼科検査のうちのＯＣＴ画像検査のみを行わない場合は、判定が否定されて、ステップ２３４へ移行する。ステップ２３０において、眼科検査のうちのＯＣＴ画像検査のみを行う場合は、判定が肯定されて、ステップ２３２へ移行する。
【０１７４】
ステップ２３２で、処理部１８０は、ＯＣＴ画像検査指示情報をウエアラブル端末装置１２に送信し、その後、ステップ２３６へ移行する。なお、ＯＣＴ画像検査指示情報とは、ウエアラブル端末装置１２に対して後述のＯＣＴ画像検査処理（図９Ｄ）の実行を指示する情報を指す。また、ＯＣＴ画像検査指示情報には、ステップ２００において受け付けられた必要な情報と、ステップ２０８において無線通信部８２によって受信された患者情報等とが含まれる。
【０１７５】
ステップ２３４で、処理部１８０は、連続検査指示情報をウエアラブル端末装置１２に送信し、その後、ステップ２３６へ移行する。なお、連続検査指示情報とは、ウエアラブル端末装置１２に対して後述の連続検査処理（図８）の実行を指示する情報を指す。連続検査とは、例えば、視野検査、そしてＳＬＯ画像検査、その次にＯＣＴ画像検査の順で行われる一連の検査を指す。また、連続検査指示情報には、ステップ２００において受け付けられた必要な情報と、ステップ２０８において無線通信部８２によって受信された患者情報等とが含まれる。
【０１７６】
なお、本実施形態では、連続検査として、視野検査、そしてＳＬＯ画像検査、その次にＯＣＴ画像検査の順で行われる一連の検査を例示しているが、本開示の技術はこれに限定されるものではない。連続検査は、例えば、視野検査、ＳＬＯ画像検査、及びＯＣＴ画像検査のうちの少なくとも２以上の検査の組み合わせであってもよい。
【０１７７】
ステップ２３６で、取得部１８２は、ウエアラブル端末装置１２から送信される検査結果情報が無線通信部８２によって受信されたか否かを判定する。なお、検査結果情報は、後述の端末側処理に含まれるステップ２７０の処理が処理部１７１によって実行されることでウエアラブル端末装置１２から送信される。後述の端末側処理に含まれるステップ２７０の処理が処理部１７１によって実行されることでウエアラブル端末装置１２から送信される検査結果情報とは、視野欠損マップ情報、ＳＬＯ画像、及び／又はＯＣＴ画像を指す。
【０１７８】
ここで、ウエアラブル端末装置１２から検査結果情報として送信される視野欠損マップ情報は、後述の視野検査処理に含まれるステップ２５６Ｖの処理が制御部１７０によって実行されることで作成される。また、ウエアラブル端末装置１２から検査結果情報として送信されるＳＬＯ画像は、図９Ｃに示すステップ２６２Ｃ及び／又はステップ２６２Ｉで網膜４６に対してＳＬＯ撮影が行われることによって得られる。更に、ウエアラブル端末装置１２から検査結果情報として送信されるＯＣＴ画像は、図９Ｄに示すステップ２６６Ｃ及び／又は２６６Ｉで網膜４６に対してＯＣＴ撮影が行われることによって得られる。
【０１７９】
ＳＬＯ画像は、ＳＬＯ低解像度画像とＳＬＯ高解像度画像とに大別される。ＳＬＯ低解像度画像は、低解像度のＳＬＯ画像であり、図９Ｃに示すステップ２６２ＣでＳＬＯ低解像度撮影が実行されることによって得られる。ＳＬＯ高解像度画像は、高解像度のＳＬＯ画像であり、図９Ｃに示すステップ２６２ＩでＳＬＯ高解像度撮影が実行されることによって得られる。ＳＬＯ低解像度撮影とは、網膜４６を被写体としたＳＬＯによる低解像度での撮影を指す。また、ＳＬＯ高解像度撮影とは、網膜４６を被写体としたＳＬＯによる高解像度での撮影を指す。
【０１８０】
ＯＣＴ画像は、ＯＣＴ低解像度画像とＯＣＴ高解像度画像とに大別される。ＯＣＴ低解像度画像は、低解像度のＯＣＴ画像であり、図９Ｄに示すステップ２６６ＣでＯＣＴ低解像度撮影が実行されることによって得られる。ＯＣＴ高解像度画像は、高解像度のＯＣＴ画像であり、図９Ｄに示すステップ２６６ＩでＯＣＴ高解像度撮影が実行されることによって得られる。ＯＣＴ低解像度撮影とは、網膜４６を被写体としたＯＣＴによる低解像度での撮影を指す。また、ＯＣＴ高解像度撮影とは、網膜４６を被写体としたＯＣＴによる高解像度での撮影を指す。
【０１８１】
なお、本実施形態において、「低解像度」とは、１画素あたりの撮影対象領域が広く、撮影されて得られた１つの画像において広い領域での眼底画像を得る解像度を指す。これに対して、本実施形態において、「高解像度」とは、１画素あたりの撮影対象領域が狭く、撮影されて得られた１つの画像において狭い領域での高精細な眼底画像を得る解像度を指す。ここで、「広い領域」とは、例えば、予め定められた領域よりも広い領域を指す。また、「狭い領域」とは、例えば、予め定められた領域よりも狭い領域を指す。更に、「高精細な眼底画像」とは、例えば、少なくとも低解像度で撮影して得られた画像よりも高精細な眼底画像を指す。
【０１８２】
ステップ２３６において、ウエアラブル端末装置１２から送信される検査結果情報が無線通信部８２によって受信されていない場合は、判定が否定されて、ステップ２４２へ移行する。ステップ２３６において、ウエアラブル端末装置１２から送信される検査結果情報が無線通信部８２によって受信された場合は、判定が肯定されて、ステップ２３７へ移行する。
【０１８３】
ステップ２４２で、処理部１８０は、端末管理処理に係る終了条件を満足したか否かを判定する。ステップ２４２において、端末管理処理に係る終了条件を満足していない場合は、判定が否定されて、ステップ２３６へ移行する。ステップ２４２において、端末管理処理に係る終了条件を満足した場合は、判定が肯定されて、端末管理処理を終了する。
【０１８４】
ステップ２３７で、取得部１８２は、ステップ２３６において無線通信部８２によって受信された検査結果情報を取得し、その後、ステップ２３８へ移行する。
【０１８５】
ステップ２３８で、処理部１８０は、制御装置１８と無線通信を行うことで、右眼用インカメラ４８Ｒ及び左眼用インカメラ４８Ｌに対して、被検眼４４の前眼部の撮影を終了させ、その後、ステップ２４０へ移行する。
【０１８６】
ステップ２４０で、処理部１８０は、ステップ２３７で取得部１８２によって取得された検査結果情報をサーバ装置１５に送信し、その後、端末管理処理を終了する。
【０１８７】
次に、ウエアラブル端末装置１２の主電源（図示省略）が投入された場合にＣＰＵ１２０が端末側プログラム１２４Ａを実行することで実現される端末側処理について図８を参照して説明する。
【０１８８】
図８に示す端末側処理では、ステップ２５０で、処理部１７１は、管理装置１４からの制御情報が無線通信部１１２によって受信されたか否かを判定する。ここで、制御情報は、制御部１７０を制御する情報であり、前述の視野検査指示情報、ＳＬＯ画像検査指示情報、ＯＣＴ画像検査指示情報、又は連続検査指示情報である。
【０１８９】
ステップ２５０において、管理装置１４からの制御情報が無線通信部１１２によって受信されていない場合は、判定が否定されて、ステップ２５１へ移行する。ステップ２５０において、管理装置１４からの制御情報が無線通信部１１２によって受信された場合は、判定が肯定されて、ステップ２５４へ移行する。
【０１９０】
ステップ２５１Ａで、処理部１７１は、端末管理処理に含まれるステップ２１７の処理が実行されることによって管理装置１４から送信される調整指示情報が無線通信部１１２によって受信されたか否かを判定する。ステップ２５１Ａにおいて、調整指示情報が無線通信部１１２によって受信されていない場合は、判定が否定されて、ステップ２５２へ移行する。ステップ２５１Ａにおいて、調整指示情報が無線通信部１１２によって受信された場合は、判定が肯定されて、ステップ２５１Ｂへ移行する。
【０１９１】
ステップ２５１Ｂで、制御部１７０は、反射ミラー４２の位置の調整、レーザ光の光軸の補正、及び原点出しを行った後、ステップ２５２へ移行する。
【０１９２】
ステップ２５１Ｂでは、反射ミラー４２の位置の調整、レーザ光の光軸の補正、及び原点出しを行うために、先ず、最新の右眼前眼部画像と最新の左眼前眼部画像とに基づいて瞳孔間距離が制御部１７０によって検出される。そして、ウエアラブル端末装置１２のアイウエアＩＤ及び検出された瞳孔間距離等に基づいて、制御部１７０によって、反射ミラー４２の位置の調整、レーザ光の光軸の補正、及び原点出しが行われる。なお、ここで、瞳孔間距離とは、右眼前眼部画像により示される右眼４４Ｒの前眼部内の瞳孔と左眼前眼部画像により示される左眼４４Ｌの前眼部内の瞳孔との間の距離を指す。また、反射ミラー４２の位置は、ミラー駆動源７２が制御部１７０によって制御されることで調整される。また、レーザ光の光軸の補正及び原点出しは、スキャナ２８が制御部１７０によって制御されることで実現される。
【０１９３】
ステップ２５２で、処理部１７１は、端末側処理に係る終了条件を満足したか否かを判定する。端末側処理に係る終了条件とは、端末側処理を終了する条件を指す。端末側処理に係る終了条件の一例としては、所定時間が経過したとの条件、管理装置１４から終了指示を示す情報を受信したとの条件、及び／又は端末側処理を強制的に終了せざるを得ない不具合がＣＰＵ１２０によって検出されたとの条件等が挙げられる。
【０１９４】
ステップ２５２において、端末側処理に係る終了条件を満足していない場合は、判定が否定されて、ステップ２５０へ移行する。ステップ２５２において、端末側処理に係る終了条件を満足した場合は、判定が肯定されて、端末側処理を終了する。
【０１９５】
ステップ２５４で、処理部１７１は、ステップ２５０で無線通信部１１２によって受信された制御情報が視野検査情報か否かを判定する。ステップ２５４において、ステップ２５０で無線通信部１１２によって受信された制御情報が視野検査情報でない場合は、ステップ２５８へ移行する。ステップ２５４において、ステップ２５０で無線通信部１１２によって受信された制御情報が視野検査情報の場合は、判定が肯定されて、ステップ２５６へ移行する。
【０１９６】
ステップ２５６で、制御部１７０は、一例として図９Ａ及び図９Ｂに示す視野検査処理を実行し、その後、ステップ２７０へ移行する。
【０１９７】
ステップ２５８で、処理部１７１は、ステップ２５０で無線通信部１１２によって受信された制御情報がＳＬＯ画像検査情報か否かを判定する。ステップ２５８において、ステップ２５０で無線通信部１１２によって受信された制御情報がＳＬＯ画像検査情報でない場合は、ステップ２６４へ移行する。ステップ２５８において、ステップ２５０で無線通信部１１２によって受信された制御情報がＳＬＯ画像検査情報の場合は、判定が肯定されて、ステップ２６２へ移行する。
【０１９８】
ステップ２６２で、制御部１７０は、一例として図９Ｃに示すＳＬＯ画像検査処理を実行し、その後、ステップ２７０へ移行する。
【０１９９】
ステップ２６４で、処理部１７１は、ステップ２５０で無線通信部１１２によって受信された制御情報がＯＣＴ画像検査情報か否かを判定する。ステップ２６４において、ステップ２５０で無線通信部１１２によって受信された制御情報がＯＣＴ画像検査情報でない場合は、ステップ２６８へ移行する。ステップ２６４において、ステップ２５０で無線通信部１１２によって受信された制御情報がＯＣＴ画像検査情報の場合は、判定が肯定されて、ステップ２６６へ移行する。
【０２００】
ステップ２６６で、制御部１７０は、一例として図９Ｄに示すＯＣＴ画像検査処理を実行し、その後、ステップ２７０へ移行する。
【０２０１】
ステップ２６８で、制御部１７０は、連続検査処理を実行し、その後、ステップ２７０へ移行する。本ステップ２６８で実行される連続検査処理は、例えば、ステップ２５６で実行される視野検査処理、ステップ２６２で実行されるＳＬＯ画像検査処理、及びステップ２６６で実行されるＯＣＴ画像検査処理の順で実行される処理である。
【０２０２】
なお、ここでは、視野検査処理、そしてＳＬＯ画像検査処理、その次にＯＣＴ画像検査処理の順で実行される処理を連続検査処理の一例として挙げているが、本開示の技術はこれに限定されるものではない。例えば、視野検査処理、ＳＬＯ画像検査処理、及びＯＣＴ画像検査処理のうちの少なくとも２以上の処理が連続検査処理として実行されるようにしてもよい。視野検査処理、ＳＬＯ画像検査処理、及びＯＣＴ画像検査処理のうちの何れの組み合わせの処理が実行されるかは、連続検査情報に含まれる前述の患者情報等に基づいて定められる。具体的には、患者情報等に含まれる前述の検査手順情報に基づいて定められる。
【０２０３】
一例として図９Ａに示すように、視野検査処理では、ステップ２５６Ａで、制御部１７０は、視野検査指示情報に含まれる前述の必要な情報内の検査対象眼指示情報に基づいて、シャッタ１２１を移動させる必要があるか否かを判定する。
【０２０４】
ステップ２５６Ａにおいて、シャッタ１２１を移動させる必要がない場合は、判定が否定されて、ステップ２５６Ｃへ移行する。ステップ２５６Ａにおいて、シャッタ１２１を移動させる必要がある場合は、判定が肯定されて、ステップ２５６Ｂへ移行する。
【０２０５】
ステップ２５６Ｂで、制御部１７０は、視野検査指示情報に含まれる前述の必要な情報内の検査対象眼指示情報に基づいてシャッタ１２１を移動させ、その後、ステップ２５６Ｃへ移行する。
【０２０６】
ステップ２５６Ｃで、制御部１７０は、光管理部１１４及び光学系２７に対して、検査対象眼の網膜４６への３原色レーザ光による走査を開始させ、その後、ステップ２５６Ｄへ移行する。
【０２０７】
ステップ２５６Ｄで、制御部１７０は、端末側プログラム１２４Ａ内の複数のマーク投影位置情報のうちの１つのマーク投影位置情報により示されるマーク投影位置に３原色レーザ光が到達したか否かを判定する。なお、本ステップ２５６Ｄでは、「１つのマーク投影位置情報」として、ステップ２５６Ｍにおいて判定が肯定された場合、再び同じマーク投影位置情報が用いられる。また、本ステップ２５６Ｄでは、「１つのマーク投影位置情報」として、ステップ２５６Ｎにおいて判定が否定された場合、複数のマーク投影位置情報のうちの未使用のマーク投影位置情報が用いられる。
【０２０８】
本実施形態では、本ステップ２５６Ｄにおいて複数のマーク投影位置情報が用いられる順序は予め定められているが、本開示の技術はこれに限定されるものではない。例えば、管理装置１４を介して医療サービス者によって指示されたマーク投影位置情報が本ステップ２５６Ｄで用いられるようにしてもよい。また、本ステップ２５６Ｄで用いられるマーク投影位置情報の順序が、管理装置１４を介して医療サービス者によって変更されるようにしてもよい。
【０２０９】
ステップ２５６Ｄにおいて、端末側プログラム１２４Ａ内の複数のマーク投影位置情報のうちの１つのマーク投影位置情報により示されるマーク投影位置に３原色レーザ光が到達していない場合は、判定が否定されて、ステップ２５６Ｅへ移行する。ステップ２５６Ｄにおいて、複数のマーク投影位置情報のうちの１つのマーク投影位置情報により示されるマーク投影位置に３原色レーザ光が到達した場合は、判定が肯定されて、ステップ２５６Ｆへ移行する。
【０２１０】
ステップ２５６Ｅにおいて、制御部１７０は、端末側処理に係る終了条件を満足したか否かを判定する。ステップ２５６Ｅにおいて、端末側処理に係る終了条件を満足していない場合は、判定が否定されて、ステップ２５６Ｄへ移行する。ステップ２５６Ｅにおいて、端末側処理に係る終了条件を満足した場合は、判定が肯定されて、端末側処理を終了する。
【０２１１】
ステップ２５６Ｆで、制御部１７０は、光源制御回路１１５を介してレーザ光源ユニット１１３を制御することで、網膜４６に対してマークを投影させ、その後、ステップ２５６Ｇへ移行する。なお、ここで、マークが投影される位置は、ステップ２５６Ｄで用いられた最新のマーク投影位置情報により示されるマーク投影位置である。
【０２１２】
ステップ２５６Ｇで、制御部１７０は、応答ボタン１９が押されたか否かを判定する。なお、応答ボタン１９が押されたか否かは、応答ボタン１９から応答信号が入力されたか否かによって判定される。
【０２１３】
ステップ２５６Ｇにおいて、応答ボタン１９が押されていない場合は、判定が否定されて、ステップ２５６Ｈへ移行する。ステップ２５６Ｇにおいて、応答ボタン１９が押された場合は、判定が肯定されて、ステップ２５６Ｊへ移行する。
【０２１４】
ステップ２５６Ｊで、制御部１７０は、最新のマーク投影位置情報を一次記憶部１２２に記憶し、その後、ステップ２５６Ｋへ移行する。ここで、最新のマーク投影位置情報とは、ステップ２５６Ｄで用いられた最新のマーク投影位置情報を指し、換言すると、応答ボタン１９が押されたタイミングで網膜４６に投影されているマークに関するマーク投影位置情報を指す。
【０２１５】
ステップ２５６Ｈで、制御部１７０は、ステップ２５６Ｆの処理が実行されてから予め定められた時間（例えば、２秒）が経過したか否かを判定する。ステップ２５６Ｈにおいて、ステップ２５６Ｆの処理が実行されてから予め定められた時間が経過していない場合は、判定が否定されて、ステップ２５６Ｇへ移行する。ステップ２５６Ｈにおいて、ステップ２５６Ｆの処理が実行されてから予め定められた時間が経過した場合は、判定が肯定されて、ステップ２５６Ｉへ移行する。
【０２１６】
ステップ２５６Ｉで、制御部１７０は、端末側処理に係る終了条件を満足したか否かを判定する。ステップ２５６Ｉにおいて、端末側処理に係る終了条件を満足していない場合は、判定が否定されて、ステップ２５６Ｋへ移行する。ステップ２５６Ｉにおいて、端末側処理に係る終了条件を満足した場合は、判定が肯定されて、端末側処理を終了する。
【０２１７】
ステップ２５６Ｋで、制御部１７０は、患者の視線が固視標からずれているか否かを判定する。患者の視線が固視標からずれているか否かは、最新の前眼部画像に基づいて判定される。
【０２１８】
ステップ２５６Ｋにおいて、患者の視線が固視標からずれている場合は、判定が肯定されて、ステップ２５６Ｌへ移行する。ステップ２５６Ｋにおいて、患者の視線が固視標からずれていない場合は、判定が否定されて、ステップ２５６Ｎへ移行する。
【０２１９】
ステップ２５６Ｌで、制御部１７０は、スピーカ１４０に対して、視線誘導音声を出力させ、その後、ステップ２５６Ｍへ移行する。
【０２２０】
視線誘導音声とは、視線を固視標の方向へ誘導する音声を指す。視線誘導音声は、視線と固視標との位置関係に応じて生成される。視線の位置は、最新の前眼部画像に基づいて特定される。なお、視線誘導音声の一例としては、「固視標を見て下さい。」という内容の音声、又は、「もう少し右側を向いて下さい。」という内容の音声等が挙げられる。
【０２２１】
ステップ２５６Ｍで、制御部１７０は、患者の視線と固視標とのずれが解消されたか否かを判定する。患者の視線と固視標とのずれが解消されたか否かは、最新の前眼部画像に基づいて判定される。
【０２２２】
ステップ２５６Ｍにおいて、患者の視線と固視標とのずれが解消されていない場合は、判定が否定されて、ステップ２５６Ｌへ移行する。ステップ２５６Ｍにおいて、患者の視線と固視標とのずれが解消された場合は、判定が肯定されて、ステップ２５６Ｄへ移行する。
【０２２３】
ステップ２５６Ｎで、制御部１７０は、全てのマーク投影位置にマークが投影されたか否かを判定する。ステップ２５６Ｎにおいて、全てのマーク投影位置にマークが投影されていない場合は、判定が否定されて、ステップ２５６Ｎへ移行する。ステップ２５６Ｎにおいて、全てのマーク投影位置にマークが投影された場合は、判定が肯定されて、図９Ｂに示すステップ２５６Ｒへ移行する。
【０２２４】
ステップ２５６Ｒで、制御部１７０は、視野検査が未実施の検査対象眼があるか否かを判定する。視野検査が未実施の検査対象眼があるか否かは、視野検査指示情報に含まれる前述の必要な情報内の検査対象眼指示情報と現時点でのシャッタ１２１の位置とに基づいて判定される。
【０２２５】
ステップ２５６Ｒにおいて、視野検査が未実施の検査対象眼がある場合は、判定が肯定されて、ステップ２５６Ｓへ移行する。ステップ２５６Ｒにおいて、視野検査が未実施の検査対象眼がない場合は、判定が否定されて、ステップ２５６Ｕへ移行する。
【０２２６】
ステップ２５６Ｓで、制御部１７０は、スピーカ１４０に対して、変更通知音声を出力させ、その後、ステップ２５６Ｔへ移行する。変更通知音声とは、検査対象眼が変更されることを患者に通知する音声を指す。なお、変更通知音声の一例としては、「右眼の視野検査が終わりましたので、次に左眼の視野検査を行います。」という内容の音声が挙げられる。
【０２２７】
ステップ２５６Ｔで、制御部１７０は、光管理部１１４及び光学系２７を制御することで、光管理部１１４及び光学系２７に対して、検査対象眼の網膜４６への３原色レーザ光による走査を終了させ、その後、ステップ２５６Ｂへ移行する。
【０２２８】
ステップ２５６Ｕで、制御部１７０は、光管理部１１４及び光学系２７を制御することで、光管理部１１４及び光学系２７に対して、検査対象眼の網膜４６への３原色レーザ光による走査を終了させ、その後、ステップ２５６Ｖへ移行する。
【０２２９】
ステップ２５６Ｖで、制御部１７０は、ステップ２５６Ｊの処理が実行されることで一次記憶部１２２に記憶されたマーク投影位置情報に基づいて視野欠損マップ情報を作成し、その後、視野検査処理を終了する。視野欠損マップ情報とは、患者ＩＤ、及び視野欠損マップを描くための情報、及び視野欠損マップの画像等を含む情報を指す。視野欠損マップとは、患者の視野の欠損箇所を特定可能なマップを指す。図１４に示す第２進捗状況画面１９０Ｂの画像表示領域１９０Ｂ３には、視野欠損マップ２４０が表示されている。視野欠損マップ２４０では、無彩色の濃淡で欠損箇所と正常箇所とが表現されており、主な欠損箇所は、黒色で表示されている。
【０２３０】
なお、ウエアラブル端末装置１２又は管理装置１４によって視野欠損マップ２４０が作成されるだけなく、サーバ装置１５によって視野欠損マップが改めて描画され、視野検査結果レポートが作成されるようにしてもよい。また、例えば、同じ患者（患者ＩＤが同一の患者）の視野欠損マップ情報だけで視野欠損マップが作成されるのではなく、眼底画像上に視野の欠損エリアが重畳表示されたり、３Ｄ−ＯＣＴ画像上に視野の欠損エリアが重畳表示されたりするようにしてもよい。
【０２３１】
次に、図９Ｃに示すＳＬＯ画像検査処理について説明する。なお、図９Ｃに示すＳＬＯ画像検査処理では、説明の便宜上、事前に視野検査処理が実行されていることを前提として説明する。
【０２３２】
図９Ｃに示すＳＬＯ画像検査処理では、ステップ２６２Ａで、制御部１７０は、ＳＬＯ画像検査情報に含まれる前述の必要な情報内の検査対象眼指示情報に基づいて、シャッタ１２１を移動させる必要があるか否かを判定する。
【０２３３】
ステップ２６２Ａにおいて、シャッタ１２１を移動させる必要がない場合は、判定が否定されて、ステップ２６２Ｃへ移行する。ステップ２６２Ａにおいて、シャッタ１２１を移動させる必要がある場合は、判定が肯定されて、ステップ２６２Ｂへ移行する。
【０２３４】
ステップ２６２Ｂで、制御部１７０は、ＳＬＯ画像検査指示情報に含まれる前述の必要な情報内の検査対象眼指示情報に基づいてシャッタ１２１を移動させ、その後、ステップ２６２Ｃへ移行する。
【０２３５】
ステップ２６２Ｃで、制御部１７０は、ＳＬＯ低解像度撮影を実行し、その後、ステップ２６２Ｄへ移行する。本ステップ２６２Ｃでは、ＳＬＯ低解像度撮影の撮影対象領域として、例えば、デフォルトで定められた範囲（例えば、事前に定められた範囲）が採用されている。
【０２３６】
ステップ２６２Ｄで、制御部１７０は、ＳＬＯ画像が良好か否かを判定する。ステップ２６２Ｄにおいて、ＳＬＯ画像が良好でない場合は、判定が否定されて、ステップ２６２Ｅへ移行する。ステップ２６２Ｄにおいて、ＳＬＯ画像が良好な場合は、判定が肯定されて、ステップ２６２Ｆへ移行する。
【０２３７】
ステップ２６２Ｅで、制御部１７０は、ステップ２６２Ｄの判定対象となったＳＬＯ画像がＳＬＯ高解像度画像か否かを判定する。ステップ２６２Ｅにおいて、ステップ２６２Ｄの判定対象となったＳＬＯ画像がＳＬＯ低解像度画像の場合は、判定が否定されて、ステップ２６２Ｃへ移行する。ステップ２６２Ｅにおいて、ステップ２６２Ｄの判定対象となったＳＬＯ画像がＳＬＯ高解像度画像の場合は、判定が肯定されて、ステップ２６２Ｉへ移行する。
【０２３８】
ステップ２６２Ｆで、制御部１７０は、視野検査において異常があったか否かを判定する。すなわち、視野検査での異常の有無は、図９Ｂに示す視野検査処理に含まれるステップ２５６Ｖの処理が実行されることで作成された視野欠損マップ情報に基づいて判定される。
【０２３９】
ステップ２６２Ｆにおいて、視野検査において異常がなかった場合は、判定が否定されて、ステップ２６２Ｇへ移行する。ステップ２６２Ｆにおいて、視野検査において異常があった場合は、判定が肯定されて、ステップ２６２Ｈへ移行する。
【０２４０】
ステップ２６２Ｇで、制御部１７０は、視野検査指示情報に含まれる前述の必要な情報内の検査対象眼指示情報に基づいて、全ての検査対象眼についてＳＬＯ低解像度撮影が実行されたか否かを判定する。ステップ２６２Ｇにおいて、全ての検査対象眼についてＳＬＯ低解像度撮影が実行されていない場合は、判定が否定されて、ステップ２６２Ｂへ移行する。ステップ２６２Ｇにおいて、全ての検査対象眼についてＳＬＯ低解像度撮影が実行された場合は、判定が肯定されて、ＳＬＯ画像検査処理を終了する。
【０２４１】
ステップ２６２Ｈで、制御部１７０は、視野欠損マップに基づいて１つ以上の異常領域を特定し、その後、ステップ２６２Ｋへ移行する。本ステップ２６２Ｈ及び後述のステップ２６６Ｈ（図９Ｄ参照）において、異常領域とは、例えば、網膜４６の全領域のうち、視野欠損マップで「異常あり」と判定された領域を含む所定範囲を指す。なお、本ステップ２６２Ｈの処理で用いられる視野欠損マップは、図９Ｂに含まれるステップ２５６Ｖの処理が実行されることで作成された視野欠損マップ情報に含まれている。
【０２４２】
ステップ２６２Ｋで、制御部１７０は、ステップ２６２Ｈで特定された全ての異常領域に対して後述のステップ２６２ＩでのＳＬＯ高解像撮影が完了した否かを判定する。ステップ２６２Ｋにおいて、ステップ２６２Ｈで特定された全ての異常領域に対して後述のステップ２６２ＩでのＳＬＯ高解像撮影が完了した場合は、判定が肯定されて、ステップ２６２Ｇへ移行する。ステップ２６２Ｋにおいて、ステップ２６２Ｈで特定された全ての異常領域に対して後述のステップ２６２ＩでのＳＬＯ高解像撮影が完了していない場合は、判定が否定されて、ステップ２６２Ｌへ移行する。
【０２４３】
ステップ２６２Ｌで、制御部１７０は、現時点で採用されている撮影対象領域を最新の撮影対象領域に更新し、その後、ステップ２６２Ｉへ移行する。本ステップ２６２Ｌにおいて、最新の撮影対象領域とは、例えば、網膜４６の全領域のうち、ステップ２６２Ｈの処理が実行されることで特定された異常領域を含む領域を指す。
【０２４４】
ステップ２６２Ｉで、制御部１７０は、ＳＬＯ高解像度撮影を実行し、その後、ＳＬＯ画像検査処理を終了する。なお、ＳＬＯ高解像度撮影による撮影対象領域は、ステップ２６２Ｌの処理が実行されることで更新された撮影対象領域である。
【０２４５】
次に、図９Ｄに示すＯＣＴ画像検査処理について説明する。なお、図９Ｄに示すＯＣＴ画像検査処理では、説明の便宜上、事前に視野検査処理が実行されていることを前提として説明する。
【０２４６】
図９Ｄに示すＯＣＴ画像検査処理では、ステップ２６６Ａで、制御部１７０は、ＯＣＴ画像検査情報に含まれる前述の必要な情報内の検査対象眼指示情報に基づいて、シャッタ１２１を移動させる必要があるか否かを判定する。
【０２４７】
ステップ２６６Ａにおいて、シャッタ１２１を移動させる必要がない場合は、判定が否定されて、ステップ２６６Ｃへ移行する。ステップ２６６Ａにおいて、シャッタ１２１を移動させる必要がある場合は、判定が肯定されて、ステップ２６６Ｂへ移行する。
【０２４８】
ステップ２６６Ｂで、制御部１７０は、ＯＣＴ画像検査指示情報に含まれる前述の必要な情報内の検査対象眼指示情報に基づいてシャッタ１２１を移動させ、その後、ステップ２６６Ｃへ移行する。
【０２４９】
ステップ２６６Ｃで、制御部１７０は、ＯＣＴ低解像度撮影を実行し、その後、ステップ２６６Ｄへ移行する。本ステップ２６６Ｃでは、ＯＣＴ低解像度撮影の撮影対象領域として、例えば、デフォルトで定められた範囲（例えば、事前に定められた範囲）が採用されている。
【０２５０】
ステップ２６６Ｄで、制御部１７０は、ＯＣＴ画像が良好か否かを判定する。ステップ２６６Ｄにおいて、ＯＣＴ画像が良好でない場合は、判定が否定されて、ステップ２６６Ｅへ移行する。ステップ２６６Ｄにおいて、ＯＣＴ画像が良好な場合は、判定が肯定されて、ステップ２６６Ｆへ移行する。
【０２５１】
ステップ２６６Ｅで、制御部１７０は、ステップ２６６Ｄの判定対象となったＯＣＴ画像がＯＣＴ高解像度画像か否かを判定する。ステップ２６６Ｅにおいて、ステップ２６６Ｄの判定対象となったＯＣＴ画像がＯＣＴ低解像度画像の場合は、判定が否定されて、ステップ２６６Ｃへ移行する。ステップ２６６Ｅにおいて、ステップ２６６Ｄの判定対象となったＯＣＴ画像がＯＣＴ高解像度画像の場合は、判定が肯定されて、ステップ２６６Ｉへ移行する。
【０２５２】
ステップ２６６Ｆで、制御部１７０は、視野検査において異常があったか否かを判定する。すなわち、視野検査での異常の有無は、図９Ｂに示す視野検査処理に含まれるステップ２５６Ｖの処理が実行されることで作成された視野欠損マップ情報に基づいて判定される。
【０２５３】
ステップ２６６Ｆにおいて、視野検査において異常がなかった場合は、判定が否定されて、ステップ２６６Ｇへ移行する。ステップ２６６Ｆにおいて、視野検査において異常があった場合は、判定が肯定されて、ステップ２６６Ｈへ移行する。
【０２５４】
ステップ２６６Ｇで、制御部１７０は、視野検査指示情報に含まれる前述の必要な情報内の検査対象眼指示情報に基づいて、全ての検査対象眼についてＯＣＴ低解像度撮影が実行されたか否かを判定する。ステップ２６６Ｇにおいて、全ての検査対象眼についてＯＣＴ低解像度撮影が実行されていない場合は、判定が否定されて、ステップ２６６Ｂへ移行する。ステップ２６６Ｇにおいて、全ての検査対象眼についてＯＣＴ低解像度撮影が実行された場合は、判定が肯定されて、ＯＣＴ画像検査処理を終了する。
【０２５５】
ステップ２６６Ｈで、制御部１７０は、視野欠損マップに基づいて１つ以上の異常領域を特定し、その後、ステップ２６６Ｋへ移行する。
【０２５６】
ステップ２６６Ｋで、制御部１７０は、ステップ２６６Ｈで特定された全ての異常領域に対して後述のステップ２６６ＩでのＯＣＴ高解像度撮影が完了したか否かを判定する。ステップ２６６Ｋにおいて、ステップ２６６Ｈで特定された全ての異常領域に対して後述のステップ２６６ＩでのＯＣＴ高解像度撮影が完了した場合は、判定が肯定されて、ステップ２６６Ｇへ移行する。ステップ２６６Ｋにおいて、ステップ２６６Ｈで特定された全ての異常領域に対して後述のステップ２６６ＩでのＯＣＴ高解像度撮影が完了していない場合は、判定が否定されて、ステップ２６６Ｌへ移行する。
【０２５７】
ステップ２６６Ｌで、制御部１７０は、現時点で採用されている撮影対象領域を最新の撮影対象領域に更新し、その後、ステップ２６６Ｉへ移行する。本ステップ２６６Ｌにおいて、最新の撮影対象領域とは、例えば、網膜４６の全領域のうち、ステップ２６６Ｈの処理が実行されることで特定された異常領域のうち、第１の線により特定される網膜４６の膜厚方向の断層領域、及び、第２の線により特定される網膜４６の膜厚方向の断層領域が挙げられる。第１の線とは、異常領域の中心線を横切る所定長の線を指す。また、第２の線とは、第１の線に垂直な所定長の線を指す。
【０２５８】
ステップ２６６Ｉで、制御部１７０は、ＯＣＴ高解像度撮影を実行し、その後、ＯＣＴ画像検査処理を終了する。なお、ＯＣＴ高解像度撮影による撮影対象領域は、ステップ２６６Ｌの処理が実行されることで更新された撮影対象領域である。
【０２５９】
図８に示すステップ２７０で、処理部１７１は、無線通信部１１２を介して前述の検査結果情報（視野欠損マップ情報、ＳＬＯ画像、及び／又はＯＣＴ画像）を管理装置１４に送信し、その後、端末側処理を終了する。
【０２６０】
次に、サーバ装置１５の主電源（図示省略）が投入された場合にＣＰＵ１６０がサーバ側プログラム１６４Ｂを実行することで実現されるサーバ側処理について図１０を参照して説明する。
【０２６１】
図１０に示すサーバ側処理では、先ず、ステップ２５５Ａで、ＣＰＵ１６０は、管理装置情報を受信したか否かを判定する。管理装置情報とは、端末管理処理が管理装置１４のＣＰＵ９０によって実行されることでサーバ装置１５に送信された情報を指す。
【０２６２】
ステップ２５５Ａにおいて、管理装置情報を受信していない場合は、判定が否定されて、ステップ２５５Ｆへ移行する。ステップ２５５Ａにおいて管理装置情報を受信した場合は、判定が肯定されて、ステップ２５５Ｂへ移行する。
【０２６３】
ステップ２５５Ｂで、ＣＰＵ１６０は、ステップ２５５Ａで受信した管理装置情報が送信要求情報か否かを判定する。ステップ２５５Ｂにおいて、ステップ２５５Ａで受信した管理装置情報が送信要求情報でない場合、すなわち、ステップ２５５Ａで受信した管理装置情報が視野欠損マップ情報の場合は、判定が否定されて、ステップ２５５Ｄへ移行する。ステップ２５５Ｂにおいて、ステップ２５５Ａで受信した管理装置情報が送信要求情報の場合は、判定が肯定されて、ステップ２５５Ｅへ移行する。
【０２６４】
ステップ２５５Ｄで、ＣＰＵ１６０は、視野欠損マップ情報に基づいて、視野検査の結果を示すレポートである視野検査結果レポートを作成し、作成した視野検査結果レポートを二次記憶部１６４に記憶し、その後、ステップ２５５Ｆへ移行する。作成された視野検査結果レポートは、例えば、ビューワ１７等の外部機器から要求があった場合にビューワ１７に送信される。
【０２６５】
ステップ２５５Ｅで、ＣＰＵ１６０は、前述した患者情報等を管理装置１４に送信し、その後、ステップ２５５Ｆへ移行する。なお、患者情報等に含まれる患者情報１６４Ａは、二次記憶部１６４から取得される。また、患者情報等に含まれる検査手順情報は、例えば、受付デバイス１５４で受け付けられた指示に従って生成されたり、又は、外部Ｉ／Ｆ１５８を介してＵＳＢメモリ、パーソナル・コンピュータ、及び／又はサーバ装置等の外部装置から取得されたりする。
【０２６６】
ステップ２５５Ｆで、ＣＰＵ１６０は、サーバ側処理に係る終了条件を満足したか否かを判定する。サーバ側処理に係る終了条件とは、サーバ側処理を終了する条件を指す。サーバ側処理に係る終了条件の一例としては、所定時間が経過したとの条件、受付デバイス１５４が終了指示を受け付けたとの条件、及び／又はサーバ側処理を強制的に終了せざるを得ない不具合がＣＰＵ１６０によって検出されたとの条件等が挙げられる。
【０２６７】
ステップ２５５Ｆにおいて、サーバ側処理に係る終了条件を満足していない場合は、判定が否定されて、ステップ２５５Ｆへ移行する。ステップ２５８において、サーバ側処理に係る終了条件を満足した場合は、判定が肯定されて、サーバ側処理を終了する。
【０２６８】
次に、端末管理処理の実行が開始されることでＣＰＵ９０が表示制御プログラム９４Ｂを実行することによって実現される表示制御処理について図１１を参照して説明する。
【０２６９】
以下では、説明の便宜上、図７Ａに示す端末管理処理に含まれるステップ２００の処理が実行されることで、受付デバイス８４によって必要な情報が全て受け付けられていることを前提として説明する。
【０２７０】
また、以下では、説明の便宜上、管理装置１４は最大で６台のウエアラブル端末装置１２を管理することができることを前提として説明する。なお、６台は、あくまでも一例の台数であり、様々な最大管理台数をとることができる。更に、以下では、説明の便宜上、管理装置１４と６台のウエアラブル端末装置１２との通信が確立されている状態であることを前提とし、表示制御処理については、６台のウエアラブル端末装置１２のうちの１台のウエアラブル端末装置１２を例に挙げて説明する。
【０２７１】
また、以下では、説明の便宜上、低解像度同時撮影と高解像度同時撮影とを区別して説明する必要がない場合、「同時撮影」と称する。また、以下では、説明の便宜上、ＳＬＯ低解像度撮影とＳＬＯ高解像度撮影とを区別して説明する必要がない場合、「ＳＬＯ撮影」と称する。また、以下では、説明の便宜上、ＯＣＴ低解像度撮影とＯＣＴ高解像度撮影とを区別して説明する必要がない場合、「ＯＣＴ撮影」と称する。
【０２７２】
更に、以下では、説明の便宜上、ＳＬＯ低解像度画像とＳＬＯ高解像度画像とを区別して説明する必要がない場合、「ＳＬＯ画像」と称し、ＯＣＴ低解像度画像とＯＣＴ高解像度画像とを区別して説明する必要がない場合、「ＯＣＴ画像」と称する。
【０２７３】
図１１に示す表示制御処理では、ステップ４００で、表示制御部１８４は、一例として図１３に示すように、ディスプレイ８６Ａに対して進捗状況画面１９０の表示を開始させ、その後、ステップ４０２へ移行する。
【０２７４】
ステップ４０２で、表示制御部１８４は、装置情報を受信したか否かを判定する。ここで言う「装置情報」とは、ウエアラブル端末装置１２と通信を行うことでウエアラブル端末装置１２の処理部１７１から無線通信部１１２を介して送信された端末情報と、サーバ装置１５と通信を行うことでサーバ装置１５から送信された患者情報等とを指す。端末情報は、ウエアラブル端末装置１２に関する情報である。ここで、ウエアラブル端末装置１２に関する情報とは、例えば、眼科検査の進捗状況に関する情報を指す。眼科検査の進捗状況に関する情報には、最新の前眼部画像と、視野検査の進捗の程度を示す進捗程度情報と、アイウエア端末装置１６が患者に正しく装着されているか否かを示すアイウエア着脱情報と、が含まれる。また、アイウエア端末装置１６において、ＳＬＯ撮影が行われた場合、装置情報には、ＳＬＯ画像が含まれる。また、アイウエア端末装置１６において、ＯＣＴ撮影が行われた場合、装置情報には、ＯＣＴ画像が含まれる。
【０２７５】
ステップ４０２において、装置情報を受信していない場合は、判定が否定されて、ステップ４１６へ移行する。ステップ４０２において、装置情報を受信した場合は、判定が肯定されて、ステップ４０４へ移行する。
【０２７６】
ステップ４０４で、表示制御部１８４は、受信した装置情報が端末情報か否かを判定する。ステップ４０４において、受信した装置情報が端末情報でない場合、すなわち、受信した装置情報が患者情報１６４Ａの場合は、判定が否定されて、ステップ４１２へ移行する。ステップ４０４において、受信した装置情報が端末情報の場合は、判定が肯定されて、ステップ４０６へ移行する。
【０２７７】
ステップ４０６で、表示制御部１８４は、受信した端末情報に関連する情報が進捗状況画面１９０に表示されているか否かを判定する。ステップ４０６において、受信した端末情報に関連する情報が進捗状況画面１９０に表示されていない場合は、判定が否定されて、ステップ４０８へ移行する。ステップ４０６において、受信した端末情報に関連する情報が進捗状況画面１９０に表示されている場合は、判定が肯定されて、ステップ４１０へ移行する。
【０２７８】
ステップ４０８で、表示制御部１８４は、ディスプレイ８６Ａに対して、端末情報に関連する情報の表示を開始させ、その後、ステップ４１６へ移行する。これにより、進捗状況画面１９０には、端末情報に関連する情報が表示される。
【０２７９】
一例として図１３に示すように、第１進捗状況画面１９０Ａは、端末ＩＤ表示領域１９０Ａ１、進捗状況表示領域１９０Ａ２、画像表示領域１９０Ａ３、アイウエア着用状況表示領域１９０Ａ４、及び患者情報表示領域１９０Ａ５を有する。端末ＩＤ表示領域１９０Ａ１、進捗状況表示領域１９０Ａ２、画像表示領域１９０Ａ３、アイウエア着用状況表示領域１９０Ａ４には、端末情報に関連する情報が表示され、患者情報表示領域１９０Ａ５には、患者情報１６４Ａが表示される。また、進捗状況表示領域１９０Ａ２には、検査対象眼指示情報等に基づく情報も表示される。
【０２８０】
端末ＩＤ表示領域１９０Ａ１には、管理装置１４との通信が確立されている６台のウエアラブル端末装置１２のうちの第１番目のウエアラブル端末装置１２を一意に特定可能な端末ＩＤが表示される。なお、本実施形態では、受信した端末情報に対応するアイウエア端末装置１６のアイウエアＩＤが端末ＩＤとして採用されている。
【０２８１】
進捗状況表示領域１９０Ａ２には、主に視野検査の進行状況が表示される。図１３に示す例では、視野検査対象眼を特定可能な情報として、「視野検査対象：両眼」という内容の情報と、現在の検査状況を特定可能な情報として、「左眼：ＯＣＴ撮影中」という内容の情報と、進捗状況の程度を示すインジケータと、が表示されている。進捗状況表示領域１９０Ａ２では、インジケータが検査中の位置を指し示している。また、進捗状況表示領域１９０Ａ２に、「検査内容：視野／ＳＬＯ／ＯＣＴ」という内容の情報が表示されており、これは、検査対象眼指示情報等に基づく情報の一例である。また、進捗状況表示領域１９０Ａ２には、検査対象眼を示す「検査対象：両眼」という内容の情報も表示されており、これも、検査対象眼指示情報等に基づく情報の一例である。
【０２８２】
画像表示領域１９０Ａ３には、被検眼４４の特徴を示す被検眼特徴情報として前眼部画像、ＳＬＯ画像、ＯＣＴ画像、及び／又は視野欠損マップ２４０が表示される。なお、後述の画像表示領域１９０Ｂ３，１９０Ｃ３，１９０Ｄ３，１９０Ｆ３についても同様である。
【０２８３】
画像表示領域１９０Ａ３には、患者情報表示領域１９０Ａ５に表示されている患者情報１６４Ａにより特定される患者の最新の前眼部画像が表示される。患者情報表示領域１９０Ａ５に表示されている患者情報１６４Ａにより特定される患者とは、換言すると、端末ＩＤ表示領域１９０Ａ１に表示されている端末ＩＤにより特定されるウエアラブル端末装置１２を現時点で使用している患者を指す。図１３に示す例では、右眼前眼部画像と左眼前眼部画像とが表示されており、検査対象眼でない左眼前眼部画像がグレイアウト表示されている。
【０２８４】
アイウエア着用状況表示領域１９０Ａ４には、アイウエア端末装置１６が患者に装着された状態であるか否かを示す情報が表示される。図１３に示す例では、アイウエア端末装置１６が患者に装着されていることを示す「着用中」という内容の情報が表示されている。また、アイウエア着用状況表示領域１９０Ａ４の背景色は、進捗状況に応じて変化する。例えば、背景色は、白色、黄色、桃色、及び灰色の何れかである。白色は、視野検査前であることを表し、黄色は、視野検査中であることを表し、桃色は、視野検査が完了したことを表し、灰色は、視野検査の検査対象眼が指示されていないことを表す。
【０２８５】
なお、図１３に示す例では、第１進捗状況画面１９０Ａは、端末ＩＤが“ＥＡ”のアイウエア端末装置１６を含むウエアラブル端末装置１２に対応する画面である。また、第２進捗状況画面１９０Ｂは、端末ＩＤが“ＥＣ”のアイウエア端末装置１６を含むウエアラブル端末装置１２に対応する画面である。また、第３進捗状況画面１９０Ｃは、端末ＩＤが“ＹＶ”のアイウエア端末装置１６を含むウエアラブル端末装置１２に対応する画面である。また、第４進捗状況画面１９０Ｄは、端末ＩＤが“ＭＩ”のアイウエア端末装置１６を含むウエアラブル端末装置１２に対応する画面である。また、第５進捗状況画面１９０Ｅは、端末ＩＤが“ＧＺ”のアイウエア端末装置１６を含むウエアラブル端末装置１２に対応する画面である。更に、第６進捗状況画面１９０Ｅは、端末ＩＤが“ＹＷ”のアイウエア端末装置１６を含むウエアラブル端末装置１２に対応する画面である。
【０２８６】
第２進捗状況画面１９０Ｂは、端末ＩＤ表示領域１９０Ｂ１、進捗状況表示領域１９０Ｂ２、画像表示領域１９０Ｂ３、アイウエア着用状況表示領域１９０Ｂ４、及び患者情報表示領域１９０Ｂ５を有する。
【０２８７】
図１３に示す例において、端末ＩＤ表示領域１９０Ｂ１には、管理装置１４との通信が確立されている６台のウエアラブル端末装置１２のうちの第２番目のウエアラブル端末装置１２を一意に特定可能な端末ＩＤが表示される。進捗状況表示領域１９０Ｂ２には、左眼４４Ｌに対してＯＣＴ撮影が行われていることを示す「左眼：ＯＣＴ撮影中」という内容の情報が表示されている。また、進捗状況表示領域１９０Ｂ２には、検査の内容及び順序を示す「検査内容：視野／ＳＬＯ／ＯＣＴ」という内容の情報も表示されている。進捗状況表示領域１９０Ｂ２には、検査対象眼を示す「両眼」という内容の情報も表示されている。また、進捗状況表示領域１９０Ｂ２では、インジケータが検査完了の位置を指し示している。
【０２８８】
また、画像表示領域１９０Ｂ３には、被検眼４４に関する視野欠損マップ２４０、網膜４６に関するＳＬＯ画像、網膜４６Ｒに関するＯＣＴ画像、及び左眼前眼部画像が表示されている。また、アイウエア着用状況表示領域１９０Ｂ４には、アイウエア端末装置１６が患者に装着されていないことを示す情報として、「非着用」という内容の情報が表示されている。
【０２８９】
第３進捗状況画面１９０Ｃは、端末ＩＤ表示領域１９０Ｃ１、進捗状況表示領域１９０Ｃ２、画像表示領域１９０Ｃ３、アイウエア着用状況表示領域１９０Ｃ４、及び患者情報表示領域１９０Ｃ５を有する。
【０２９０】
図１３に示す例において、端末ＩＤ表示領域１９０Ｃ１には、管理装置１４との通信が確立されている６台のウエアラブル端末装置１２のうちの第３番目のウエアラブル端末装置１２を一意に特定可能な端末ＩＤが表示される。進捗状況表示領域１９０Ｂ２には、左眼４４Ｌに対してＳＬＯ撮影が行われていることを示す「左眼：ＳＬＯ撮影中」という内容の情報が表示されている。また、進捗状況表示領域１９０Ｃ２には、検査の内容及び順序を示す「検査内容：視野／ＳＬＯ」という内容の情報も表示されている。また、進捗状況表示領域１９０Ｃ２には、検査対象眼を示す「左眼のみ」という内容の情報も表示されている。また、進捗状況表示領域１９０Ｃ２では、インジケータが検査中の位置を指し示している。画像表示領域１９０Ｃ３には、左眼４４Ｌに関する視野欠損マップ２４０及び左眼前眼部画像が表示されている。
【０２９１】
また、アイウエア着用状況表示領域１９０Ｃ４には、アイウエア端末装置１６が患者に装着されていることを示す情報として、「着用中」という内容の情報と、「Ｅｒｒｏｒ」という内容の情報とが表示されている。なお、「Ｅｒｒｏｒ」という内容の情報の表示は、後述のステップ４５２のエラー処理が実行されることで実現される。
【０２９２】
第４進捗状況画面１９０Ｄは、端末ＩＤ表示領域１９０Ｄ１、進捗状況表示領域１９０Ｄ２、画像表示領域１９０Ｄ３、アイウエア着用状況表示領域１９０Ｄ４、及び患者情報表示領域１９０Ｄ５を有する。
【０２９３】
図１３に示す例において、端末ＩＤ表示領域１９０Ｄ１には、管理装置１４との通信が確立されている６台のウエアラブル端末装置１２のうちの第４番目のウエアラブル端末装置１２を一意に特定可能な端末ＩＤが表示される。進捗状況表示領域１９０Ｄ２には、「音声案内中」という内容の情報が表示されている。「音声案内中」とは、例えば、図９Ａに示すステップ２５６Ｌ又は図９Ｂに示すステップ２５６Ｓの処理が実行されることでスピーカ１４０から出力される音声によって患者が案内されている状態を指す。また、進捗状況表示領域１９０Ｄ２には、検査の内容及び順序を示す「検査内容：視野／ＳＬＯ／ＯＣＴ」という内容の情報も表示されている。また、進捗状況表示領域１９０Ｃ２には、検査対象眼を示す「両眼」という内容の情報も表示されている。
【０２９４】
また、画像表示領域１９０Ｄ３には、患者情報表示領域１９０Ｄ５に表示されている患者情報１６４Ａにより特定される患者の最新の前眼部画像が表示されている。また、アイウエア着用状況表示領域１９０Ｄ４には、アイウエア端末装置１６が患者に装着されていることを示す情報として、「着用中」という内容の情報が表示されている。
【０２９５】
図１３に示す例において、端末ＩＤ表示領域１９０Ｅ１には、管理装置１４との通信が確立されている６台のウエアラブル端末装置１２のうちの第５番目のウエアラブル端末装置１２を一意に特定可能な端末ＩＤが表示される。
【０２９６】
図１３に示す例では、端末ＩＤが“ＧＺ”のアイウエア端末装置１６を含むウエアラブル端末装置１２が充電中のため、第５進捗状況画面１９０Ｅには、充電中であることを視覚的に認識可能な情報として「充電中」という内容の情報が表示されている。また、第５進捗状況画面１９０Ｅには、バッテリの容量を示す情報として、「バッテリ８８％」という内容の情報と、バッテリの容量を示すインジケータとが表示されている。
【０２９７】
図１３に示す例において、端末ＩＤ表示領域１９０Ｆ１には、管理装置１４との通信が確立されている６台のウエアラブル端末装置１２のうちの第６番目のウエアラブル端末装置１２を一意に特定可能な端末ＩＤが表示される。進捗状況表示領域１９０Ｆ２には、左眼４４Ｒに対してＳＬＯ撮影が行われていることを示す「左眼：ＳＬＯ撮影中」という内容の情報が表示されている。また、進捗状況表示領域１９０Ｆ２には、検査の内容及び順序を示す「検査内容：ＳＬＯ／ＯＣＴ」という内容の情報も表示されている。また、進捗状況表示領域１９０Ｆ２には、検査対象眼を示す「左眼のみ」という内容の情報も表示されている。また、進捗状況表示領域１９０Ｆ２では、インジケータが検査中の位置を指し示している。
【０２９８】
また、画像表示領域１９０Ｆ３には、被検眼４４に関する視野欠損マップ、右眼前眼部画像、網膜４６Ｌに関するＳＬＯ画像、及び網膜４６Ｌに関するＯＣＴ画像が表示されている。また、アイウエア着用状況表示領域１９０Ｆ４には、アイウエア端末装置１６が患者に装着されていることを示す情報として、「着用中」という内容の情報と、「Ｅｒｒｏｒ」という内容の情報とが表示されている。
【０２９９】
図１１に示すステップ４１０で、表示制御部１８４は、ディスプレイ８６Ａに対して、端末情報に関連する情報の表示内容を更新させ、その後、ステップ４１６へ移行する。これにより、端末ＩＤ表示領域１９０Ａ１、進捗状況表示領域１９０Ａ２、画像表示領域１９０Ａ３、及びアイウエア着用状況表示領域１９０Ａ４の表示内容が更新される。
【０３００】
例えば、アイウエア端末装置１６が患者から外されると、アイウエア着用状況表示領域１９０Ａ４には、第２進捗状況画面１９０Ｂのアイウエア着用状況表示領域１９０Ｂ４に示すように、「非着用」という内容の情報が表示される。また、後述のステップ４５２のエラー処理が実行されると、第３進捗状況画面１９０Ｃのアイウエア着用状況表示領域１９０Ｃ４に示すように、「Ｅｒｒｏｒ」という内容の情報が表示される。また、ＯＣＴ撮影が完了すると、「ＯＣＴ撮影完了」という内容の情報が表示される。また、予定されている検査が全て終了すると、インジケータにより全検査完了の位置が指し示される。更に、スピーカ１４０からの音声による案内中の場合は、第４進捗状況画面１９０Ｄの進捗状況表示領域１９０Ｄ２に示すように、「音声案内中」という内容の情報が表示される。
【０３０１】
ステップ４１２で、表示制御部１８４は、患者情報１６４Ａが非表示状態か否かを判定する。例えば、表示制御部１８４は、端末ＩＤ表示領域１９０Ａ１に表示されている端末ＩＤにより特定されるウエアラブル端末装置１２を使用している患者に関する患者情報１６４Ａが患者情報表示領域１９０Ａ５に表示されていないか否かを判定する。
【０３０２】
ステップ４１２において、患者情報１６４Ａが非表示状態の場合は、判定が肯定されて、ステップ４１４へ移行する。ステップ４１２において、患者情報１６４Ａが非表示状態でない場合、すなわち、患者情報１６４Ａが表示されている場合は、判定が否定されて、ステップ４１６へ移行する。
【０３０３】
ステップ４１４で、表示制御部１８４は、ディスプレイ８６Ａに対して患者情報１６４Ａの表示を開始させ、その後、ステップ４１６へ移行する。これにより、例えば、端末ＩＤ表示領域１９０Ａ１に表示されている端末ＩＤにより特定されるウエアラブル端末装置１２を使用している患者に関する患者情報１６４Ａであれば、患者情報１６４Ａは患者情報表示領域１９０Ａ５に表示される。
【０３０４】
ステップ４１６で、表示制御部１８４は、表示制御処理に係る終了条件を満足したか否かを判定する。表示制御処理に係る終了条件とは、表示制御処理を終了する条件を指す。表示制御処理に係る終了条件の一例としては、所定時間が経過したとの条件、受付デバイス８４が終了指示を受け付けたとの条件、及び／又は表示制御処理を強制的に終了せざるを得ない不具合がＣＰＵ９０によって検出されたとの条件等が挙げられる。
【０３０５】
ステップ４１６において、表示制御処理に係る終了条件を満足していない場合は、判定が否定されて、ステップ４０２へ移行する。ステップ４１６において、表示制御処理に係る終了条件を満足した場合は、判定が肯定されて、ステップ４１８へ移行する。
【０３０６】
ステップ４１８で、表示制御部１８４は、ディスプレイ８６Ａに対して進捗状況画面１９０の表示を終了させ、その後、表示制御処理を終了する。
【０３０７】
次に、端末管理処理の実行が開始されることでＣＰＵ９０が通信エラー対応プログラム９４Ｃを実行することによって実現される通信エラー対応処理について図１２を参照して説明する。以下、通信エラー対応処理については、説明の便宜上、図１３に示す進捗状況画面１９０Ｃの端末ＩＤ表示領域１９０Ｃ１に表示されている端末ＩＤにより特定されるウエアラブル端末装置１２、管理装置１４、及びサーバ装置１５を例に挙げて説明する。
【０３０８】
図１２に示す通信エラー対応処理では、ステップ４５０で、表示制御部１８４は、通信エラーが発生したか否かを判定する。ここで言う「通信エラー」とは、例えば、ウエアラブル端末装置１２と管理装置１４との間での通信上のエラー、又は、管理装置１４とサーバ装置１５との間での通信上のエラーを指す。通信上のエラーとは、例えば、意図しないタイミングで通信が切断される現象を指す。
【０３０９】
ステップ４５０において、通信エラーが発生していない場合は、判定が否定されて、ステップ４５４へ移行する。ステップ４５０において、通信エラーが発生した場合は、判定が肯定されて、ステップ４５２へ移行する。
【０３１０】
ステップ４５２で、表示制御部１８４は、エラー処理を実行し、その後、ステップ４５４へ移行する。エラー処理とは、例えば、アイウエア着用状況表示領域１９０Ｃ４に「Ｅｒｒｏｒ」という内容の情報が表示されるようにディスプレイ８６Ａを制御する処理を指す。また、エラー処理の他の例としては、「通信エラーが発生しました」等の音声をスピーカ（図示省略）に対して出力させる処理が挙げられる。
【０３１１】
ステップ４５４で、表示制御部１８４は、通信エラー対応処理に係る終了条件を満足したか否かを判定する。通信エラー対応処理に係る終了条件とは、通信エラー対応処理を終了する条件を指す。通信エラー対応処理に係る終了条件の一例としては、所定時間が経過したとの条件、受付デバイス８４が終了指示を受け付けたとの条件、及び／又は通信エラー対応処理を強制的に終了せざるを得ない不具合がＣＰＵ９０によって検出されたとの条件等が挙げられる。
【０３１２】
ステップ４５４において、通信エラー対応処理に係る終了条件を満足していない場合は、判定が否定されて、ステップ４５０へ移行する。ステップ４５４において、通信エラー処理に係る終了条件を満足した場合は、判定が肯定されて、通信エラー対応処理を終了する。
【０３１３】
次に、ウエアラブル端末装置１２と、管理装置１４と、サーバ装置１５との間での処理の流れの一例について図１５を参照しながら説明する。
【０３１４】
一例として図１５に示すように、管理装置１４は、患者情報等の送信をサーバ装置１５に要求する（Ｓ１）。サーバ装置１５は、管理装置１４からの要求に応じて患者情報等を管理装置１４に送信する（Ｓ２）。
【０３１５】
管理装置１４は、サーバ装置１５から送信された患者情報等を受信すると、準備処理を実行する（Ｓ３）。ここで、準備処理とは、例えば、図７Ａ及び図７Ｂに示すステップ２１２〜ステップ２２０の処理を指す。管理装置１４は、準備処理中に、各種情報の送信をウエアラブル端末装置１２に対して要求する（Ｓ４）。各種情報とは、例えば、ウエアラブル端末装置１２の動作状況を示す情報等を指す。各種情報としては、例えば、被検眼４４の前眼部の撮影が開始されたか否かを示す情報、瞳孔間距離が検出されたか否かを示す情報、及び／又は応答ボタン１９が押されたか否かを示す情報等を指す。
【０３１６】
ウエアラブル端末装置１２は、管理装置１４からの要求に応じて各種情報を管理装置１４に送信する（Ｓ５）。管理装置１４は、準備処理を完了すると、ウエアラブル端末装置１２に対して視野検査の実行を要求する（Ｓ６）。
【０３１７】
ウエアラブル端末装置１２は、一例として図９Ａ及び図９Ｂに示すように端末側処理を実行することで、管理装置１４からの要求に応じて検査対象眼に対して視野検査を実行する（Ｓ７）。ウエアラブル端末装置１２は、視野検査の結果を管理装置１４に送信する（Ｓ８）。ここで、「視野検査の結果」とは、例えば、マーク投影位置情報及び知覚情報を指す。なお、「視野検査の結果」は、応答ボタン１９が押されたタイミングで投影されたマークの位置に関するマーク投影位置情報のみであってもよい。
【０３１８】
上記第１実施形態では、一例として図９Ｂに示すように、ウエアラブル端末装置１２が視野欠損マップ情報を作成しているが、本開示の技術はこれに限定されるものではなく、例えば、図１５に示すように、管理装置１４が視野欠損マップ情報を作成してもよい。
【０３１９】
すなわち、図１５に示す例では、管理装置１４が、視野検査の結果に基づいて視野欠損マップ２４０（図１３参照）を作成する（Ｓ９）。このように、管理装置１４にて視野欠損マップ２４０が作成されると、管理装置１４は、作成した視野欠損マップ２４０を含む情報である視野欠損マップ情報をサーバ装置１５に送信する（Ｓ１０）。
【０３２０】
サーバ装置１５は、管理装置１４から送信された視野欠損マップ情報を受信し、受信した視野欠損マップ情報に基づいて視野検査の結果を示す視野検査結果レポートを作成する（Ｓ１１）。また、サーバ装置１５は、作成した視野検査結果レポートを二次記憶部９４に記憶する（Ｓ１２）。そして、サーバ装置１５は、作成した視野検査結果レポートをビューワ１７に送信する（Ｓ１３）。
【０３２１】
ビューワ１７は、視野検査結果レポートを受信し、受信した視野検査結果レポートをディスプレイ１７Ｃに表示する（Ｓ１４）。
【０３２２】
一方、管理装置１４は、画像検査の実行をウエアラブル端末装置１２に要求する（Ｓ１５）。ウエアラブル端末装置１２は、管理装置１４からの要求に応じて画像検査を実行する（Ｓ１６）。ウエアラブル端末装置１２は、画像検査の結果を管理装置１４に送信する（Ｓ１７）。
【０３２３】
管理装置１４は、ウエアラブル端末装置１２から送信された画像検査の結果に基づいて画像検査情報を生成し、生成した画像検査情報をサーバ装置１５に送信する（Ｓ１８）。
【０３２４】
サーバ装置１５は、画像検査情報を受信し、受信した画像検査情報に基づいて画像検査の結果を示す画像検査レポートを作成する（Ｓ１９）。サーバ装置１５は、作成した画像検査レポートを二次記憶部１６４に記憶する（Ｓ２０）。そして、サーバ装置１５は、作成した画像検査レポートをビューワ１７に送信する（Ｓ２１）。
【０３２５】
ビューワ１７は、画像検査レポートを受信し、受信した画像検査レポートをディスプレイ１７Ｃに表示する（Ｓ２０）。なお、上記のＳ１４及びＳ２０に示したビューワ１７による処理は、ＣＰＵ１７Ｈがビューワ側プログラム１７Ｊ１を読み出し、読み出したビューワ側プログラム１７Ｊ１を実行することで実現される処理である。
【０３２６】
以上説明したように、ウエアラブル端末装置１２は、レーザ光源ユニット１１３及びＩＲレーザ光源１１４Ｄを有する光源１１４を含み、光源１１４からの検査光を射出する光管理部１１６を備えている。また、ウエアラブル端末装置１２は、光管理部１１６から射出された光を網膜４６Ｒ及び／又は網膜４６Ｌに導く光学系２７を備えている。そして、検査光が網膜４６Ｒ及び／又は網膜４６Ｌに照射されるように光管理部１１６及び光学系２７を制御する制御部１７０を備えている。従って、ウエアラブル端末装置１２によれば、眼科検査の効率的な実施に寄与することができる。
【０３２７】
また、ウエアラブル端末装置１２では、光学系２７が、光管理部１１６から射出された検査光を網膜４６Ｒに導く右眼用光学系２７Ｒと、光管理部１１６から射出された検査光を網膜４６Ｌに導く左眼用光学系２７Ｌと、を有する。従って、ウエアラブル端末装置１２によれば、左眼４４Ｌ用の光源と右眼４４Ｒ用の光源とを別々に確保しなくても両眼に対して眼科検査を実施することができる。
【０３２８】
また、ウエアラブル端末装置１２では、光源１１４がレーザ光源ユニット１１３を含み、制御部１７０が、レーザ光源ユニット１１３からの３原色レーザ光を網膜４６内の特定位置に照射することで視野検査が行われるように光管理部１１６及び光学系２７を制御する。従って、ウエアラブル端末装置１２によれば、レーザ光源ユニット１１３を視野検査に供することができる。
【０３２９】
また、ウエアラブル端末装置１２では、光源１１４がレーザ光源ユニット１１３を含み、制御部１７０が、レーザ光源ユニット１１３からの３原色レーザ光が網膜４６に対して走査されることで網膜４６のＳＬＯ撮影が行われるように光管理部１１６及び光学系２７を制御する。従って、ウエアラブル端末装置１２によれば、レーザ光源ユニット１１３をＳＬＯ撮影に供することができる。
【０３３０】
また、ウエアラブル端末装置１２では、光源１１４がＩＲレーザ光源１１４Ｄを含み、制御部１７０が、ＩＲレーザ光源からのＩＲレーザ光が網膜４６に対して走査されることで網膜４６のＯＣＴ撮影が行われるように光管理部１１６及び光学系２７を制御する。従って、ウエアラブル端末装置１２によれば、ＩＲレーザ光源１１４ＤをＯＣＴ撮影に供することができる。
【０３３１】
また、ウエアラブル端末装置１２では、制御部１７０が、前述した第１順序パターンで視野検査、ＳＬＯ撮影、及びＯＣＴ撮影が行われるように光管理部１１６及び光学系２７を制御する。従って、ウエアラブル端末装置１２によれば、視野検査の結果に基づいてＳＬＯ撮影及びＯＣＴ撮影を順次に実施することができる。
【０３３２】
また、ウエアラブル端末装置１２は、３原色レーザ光を走査するスキャナ２８と、スキャナ２８により走査された３原色レーザ光を網膜４６に反射させる反射ミラー４２と、を備えている。従って、ウエアラブル端末装置１２によれば、白内障の患者、すなわち、水晶体が白濁している患者であっても、視野検査に要する３原色レーザ光を視覚的に知覚させることができる。
【０３３３】
また、ウエアラブル端末装置１２は、被検眼４４の前眼部を撮影する右眼用インカメラ４８Ｒ及び左眼用インカメラ４８Ｌを備えている。そして、制御部１７０は、右眼用インカメラ４８Ｒ及び左眼用インカメラ４８Ｌによって撮影されて得られた右眼前眼部画像及び左眼前眼部画像に基づいて瞳孔間距離を検出し、検出した瞳孔間距離に基づいて反射ミラー４２の位置を制御する。従って、ウエアラブル端末装置１２によれば、瞳孔間距離が異なる患者であっても、視野検査を精度良く実施することができる。
【０３３４】
また、ウエアラブル端末装置１２は、３原色レーザ光が網膜４６に照射された場合に３原色レーザ光を患者が知覚したか否かを示す操作を受け付ける応答ボタン１９を備えている。そして、ウエアラブル端末装置１２は、応答ボタン１９によって受け付けられ操作に応じた情報を出力する処理部１７１を備えている。なお、上記第１実施形態では、処理部１７１が知覚情報を管理装置１４に送信している。従って、ウエアラブル端末装置１２によれば、医療サービス者は網膜４６内での３原色レーザ光の不感位置を容易に把握することができる。
【０３３５】
また、ウエアラブル端末装置１２は、管理装置１４に対して視野検査の管理を行わせるように管理装置１４との間で通信を行う無線通信部１１２を備えている。従って、ウエアラブル端末装置１２によれば、視野検査の管理に関する処理負荷を軽減することができる。
【０３３６】
なお、視野検査の管理は、例えば、視野検査に用いられる３原色レーザ光の管理と、３原色レーザ光が網膜４６に照射されることで、照射された３原色レーザ光を患者が視覚的に知覚したことを示す知覚情報の管理と、を含む管理である。従って、ウエアラブル端末装置１２は、少なくとも視野検査に用いられる３原色レーザ光の管理と知覚情報の管理とに関する処理負荷を軽減することができる。
【０３３７】
また、管理装置１４は、制御情報をウエアラブル端末装置１２に送信する無線通信部８２を備えている。そして、管理装置１４は、検査光が網膜４６Ｒ及び／又は網膜４６Ｌに照射されることで行われた眼科検査の結果である視野欠損マップ２４０、ＳＬＯ画像、及び／又はＯＣＴ画像をウエアラブル端末装置１２から取得する取得部１８２を備えている。従って、管理装置１４によれば、眼科検査の効率的な実施に寄与することができる。
【０３３８】
また、管理装置１４は、眼科検査の進捗状況に応じた進捗状況画面１９０をディスプレイ８６Ａに対して表示させるようにディスプレイ８６Ａを制御する表示制御部１８４を備えている。従って、ウエアラブル端末装置１２は、医療サービス者に対して眼科検査の進捗状況を容易に把握させることができる。
【０３３９】
また、管理装置１４では、表示制御部１８４が、進捗状況画面９０に対して、眼科検査の進捗の程度を示す進捗程度情報として機能するインジケータを表示させるようにディスプレイ８６Ａを制御する。また、表示制御部１８４は、進捗状況画面９０に対して、被検眼４４の特徴を示す被検眼特徴情報として前眼部画像、ＳＬＯ画像、ＯＣＴ画像、及び／又は視野欠損マップ２４０を表示させるようにディスプレイ８６Ａを制御する。従って、ウエアラブル端末装置１２は、医療サービス者に対して眼科検査の進捗状況の詳細を容易に把握させることができる。
【０３４０】
また、管理装置１４では、無線通信部８２が、複数台のウエアラブル端末装置１２の各々と無線通信を行うことで、ウエアラブル端末装置１２の各々に対して検査対象眼指示情報と患者情報１６４Ａとを送信する。そして、取得部１８２は、複数台のウエアラブル端末装置１２の各々と無線通信を行うことで、ウエアラブル端末装置１２の各々から眼科検査の結果である視野欠損マップ２４０、ＳＬＯ画像、及び／又はＯＣＴ画像を取得する。従って、ウエアラブル端末装置１２は、１人の医療サービス者が複数人の患者に対して眼科検査を並行して実施することができる。
【０３４１】
［第２実施形態］
上記第１実施形態では、光管理部１１６が検査光及び眼底光を管理する例を挙げて説明したが、本第２実施形態では、一例として図１６に示すように、右眼用光管理部５１０Ｒ及び左眼用光管理部５１０Ｌによって検査光及び眼底光を管理する場合について説明する。なお、本第２実施形態では、上記第１実施形態と同一の構成要素については同一の符号を付し、その説明を省略し、上記第１実施形態と異なる部分について説明する。
【０３４２】
一例として図１６に示すように本第２実施形態に係る眼科システム５００は、眼科システム１０に比べ、ウエアラブル端末装置１２に代えてウエアラブル端末装置５０２を有する点が異なる。
【０３４３】
ウエアラブル端末装置５０２は、ウエアラブル端末装置１２に比べ、制御装置１８に代えて制御装置５０３を有する点、アイウエア端末装置１６に代えてアイウエア端末装置５０６を有する点、及び光分岐部２０を有しない点が異なる。また、ウエアラブル端末装置５０２は、ウエアラブル端末装置１２に比べ、光ファイバ３０，３８，４０を有しない点が異なる。なお、眼科システム５００も、眼科システム１０と同様に、ウエアラブル端末装置５０２を複数台有しており、各々のウエアラブル端末装置５０２は、管理装置１４と無線通信可能な状態で接続される。
【０３４４】
アイウエア端末装置５０６は、アイウエア端末装置１６に比べ、光学系２７に代えて光学系５０７を有する点、スキャナ２８に代えてスキャナ５０８を有する点、
【０３４５】
光学系５０７は、光学系２７に比べ、右眼用光学系２７Ｒに代えて右側用光学系５０７Ｒを有する点、及び左眼用光学系２７Ｌに代えて左側用光学系５０７Ｌを有する点が異なる。また、光学系５０７は、光学系２７に比べ、スキャナ２８に代えてスキャナ５０８を有する点が異なる。
【０３４６】
スキャナ５０８は、スキャナ２８に比べ、右眼用スキャナ２８Ｒに代えて右眼用スキャナ５０８Ｒを有する点、及び左眼用スキャナ２８Ｌに代えて左眼用スキャナ５０８Ｌを有する点が異なる。
【０３４７】
右眼用スキャナ５０８Ｒは、右眼用スキャナ２８Ｒに比べ、右眼用光授受部５２に代えて右眼用光管理部５１０Ｒを有する点が異なる。また、左眼用スキャナ５０８Ｌは、左眼用スキャナ２８Ｌに比べ、左眼用光授受部５８に代えて左眼用光管理部５１０Ｌを有する点が異なる。つまり、右眼用光管理部５１０Ｒ及び左眼用光管理部５１０Ｌはアイウエア端末装置５０６に内蔵されている。
【０３４８】
一例として図１７に示すように、制御装置５０３は、制御装置１８に比べ、主制御部１１０に代えて主制御部５０９を有する点が異なる。主制御部５０９は、主制御部１１０に比べ、端末側プログラム１２４Ａに代えて端末側プログラム５２４Ａが二次記憶部１２４に記憶されている点が異なる。
【０３４９】
ＣＰＵ１２０は、二次記憶部１２４から端末側プログラム５２４Ａを読み出し、読み出した端末側プログラム５２４Ａを一次記憶部１６２に展開する。そして、ＣＰＵ１２０は、一次記憶部１２２に展開した端末側プログラム５２４Ａを実行する。
【０３５０】
ＣＰＵ１２０は、端末側プログラム５２４Ａを実行することで、一例として図１４に示すように、制御部５７０及び処理部１７１として動作する。制御部５７０は、制御部１７０に比べ、光学系２７に代えて光学系５０７を制御する点が異なる。また、制御部５７０は、制御部１７０に比べ、光管理部１１６に代えて右眼用光管理部５１０Ｒ及び左眼用光管理部５１０Ｌを制御する点が異なる。
【０３５１】
右眼用光管理部５１０Ｒは、左眼用光管理部５１０Ｌに比べ、ウエアラブル端末装置１２に対する取り付け位置が異なるものの、内部構成については、左眼用光管理部５１０Ｌと同様に構成されている。
【０３５２】
一例として図１８に示すように、右眼用光管理部５１０Ｒは、光管理部１１６に比べ、光源制御回路１１５がバスラインに接続されている点が異なる。また、右眼用光管理部５１０Ｒは、光管理部１１６に比べ、光検出部１１７に代えて光検出部１１７Ａを有する点が異なる。光検出部１１７Ａは、光検出部１１７に比べ、駆動源制御回路１１９、検出シャッタ用駆動源１２３、ミラー用駆動源１２５、シャッタ１２７、第１スライド機構１４５、及び第２スライド機構１４７を有しない点が異なる。
【０３５３】
また、光管理部１１６は、光ファイバ３０に対して右眼用光が供給され、光ファイバ３０から右眼底光を受け入れているのに対し、右眼用光管理部５１０Ｒは、一例として図１６に示すように、右眼用光をＭＥＭＳミラー５４に射出する。また、一例として図１６に示すように、右眼用光管理部５１０Ｒは、ＭＥＭＳミラー５４によって導かれた右眼底光を受け入れる。なお、右眼用光管理部５１０Ｒは、本開示の技術に係る右眼用射出部の一例である。また、ここで言う「右眼用光」は、本開示の技術に係る右眼用検査光の一例である。
【０３５４】
一例として図１６に示すように、左眼用光管理部５１０Ｌは、本開示の技術に係る右眼用射出部の一例である。左眼用光管理部５１０Ｌは、左眼用光をＭＥＭＳミラー６０に射出し、ＭＥＭＳミラー６０によって導かれた左眼底光を受け入れる。ここで言う「左眼用光」は、本開示の技術に係る左眼用検査光の一例である。
【０３５５】
なお、本第２実施形態に係るウエアラブル端末装置５０２では、右眼用光管理部フラグがオンされた場合に右眼用光管理部５１０Ｒの使用が許可され、左眼用光管理フラグがオンされた場合に左眼用光管理部５１０Ｌの使用が許可される。以下では、説明の便宜上、右眼用光管理部フラグ及び左眼用光管理部フラグを区別して説明する必要がない場合、「光管理部フラグ」と称する。
【０３５６】
次に、ウエアラブル端末装置５０２の主電源（図示省略）が投入された場合にＣＰＵ１２０が端末側プログラム５２４Ａを実行することで実現される端末側処理について図１９Ａ〜図１９Ｃ及び図１１Ｂを参照して説明する。
【０３５７】
なお、以下では、説明の便宜上、上記第１実施形態に係る端末管理処理と同一の処理については同一のステップ番号を付してその説明を省略する。
【０３５８】
本第２実施形態に係る端末側処理は、上記第１実施形態に係る端末側処理に比べ、図９Ａ及び図９Ｂに示す視野検査処理に代えて図１９Ａ及び図９Ｂに示す視野検査処理を有する点が異なる。本第２実施形態に係る視野検査処理（図１９Ａ参照）は、上記第１実施形態に係る視野検査処理に比べ、ステップ２５６Ａに代えてステップ２５６Ａ１を有する点、及びステップ２５６Ｂに代えてステップ２５６Ｂ１を有する点が異なる。また、本第２実施形態に係る視野検査処理（図１９Ａ参照）は、上記第１実施形態に係る視野検査処理に比べ、ステップ２５６Ｃに代えてステップ２５６Ｃ１を有する点が異なる。更に、本第２実施形態に係る視野検査処理（図９Ｂ参照）は、上記第１実施形態に係る視野検査処理に比べ、ステップ２５６Ｕに代えてステップ２５６Ｕ１を有する点が異なる。
【０３５９】
また、本第２実施形態に係る端末側処理は、上記第１実施形態に係る端末側処理に比べ、図９Ｃに示すＳＬＯ画像検査処理に代えて図１９Ｂに示すＳＬＯ画像検査処理を有する点が異なる。本第２実施形態に係るＳＬＯ画像検査処理（図１９Ｂ）は、上記第１実施形態に係るＳＬＯ画像検査処理に比べ、ステップ２６２Ａに代えてステップ２６２Ａ１を有する点、及びステップ２６２Ｂに代えてステップ２６２Ｂ１を有する点が異なる。
【０３６０】
また、本第２実施形態に係る端末側処理は、上記第１実施形態に係る端末側処理に比べ、図９Ｄに示すＯＣＴ画像検査処理に代えて図１９Ｃに示すＯＣＴ画像検査処理を有する点が異なる。本第２実施形態に係るＯＣＴ画像検査処理（図１９Ｃ）は、上記第１実施形態に係るＯＣＴ画像検査処理に比べ、ステップ２６６Ａに代えてステップ２６６Ａ１を有する点、及びステップ２６６Ｂに代えてステップ２６６Ｂ１を有する点が異なる。
【０３６１】
図１９Ａに示すステップ２５６Ａ１で、制御部５７０は、視野検査指示情報に含まれる前述の必要な情報内の検査対象眼指示情報に基づいて、現時点でオンされている光管理部フラグを変更する必要があるか否かを判定する。
【０３６２】
ステップ２５６Ａ１において、現時点でオンされている光管理部フラグを変更する必要がない場合は、判定が否定されて、ステップ２５６Ｃ１へ移行する。ステップ２５６Ａ１において、現時点でオンされている光管理部フラグを変更する必要がある場合は、判定が肯定されて、ステップ２５６Ｂ１へ移行する。
【０３６３】
なお、図１９Ｂに示すステップ２６２Ａ１及び図１９Ｃに示すステップ２６６Ａ１の各々についても、ステップ３０４Ａの処理と同様の処理を行うので、説明を省略する。
【０３６４】
ステップ２５６Ｂ１で、制御部５７０は、視野検査指示情報に含まれる前述の必要な情報内の検査対象眼指示情報に基づいて、光管理部フラグの変更を行い、その後、ステップ２５６Ｃ１へ移行する。ここで、「光管理部フラグの変更」とは、オンされている光管理部フラグをオフしたり、オフされている光管理部フラグをオンしたりすることを指す。
【０３６５】
例えば、網膜４６Ｒに対してレーザ光による走査が行われる場合、右眼用光管理部フラグをオンし、左眼用光管理部フラグをオフする。また、網膜４６Ｌに対してレーザ光による走査が行われる場合、左眼用光管理部フラグをオンし、右眼用光管理部フラグをオフする。
【０３６６】
なお、図１９Ｂに示すステップ２６２Ｂ１及び図１９Ｃに示すステップ２６６Ｂ１の各々についても、ステップ３０６Ａの処理と同様の処理を行うので、説明を省略する。
【０３６７】
ステップ２５６Ｃ１で、制御部５７０は、右眼用光管理部５１０Ｒ及び左眼用光管理部５１０Ｌのうち、現時点でオン状態の光管理部フラグに対応する一方に対して、レーザ光の照射を開始させることで、網膜４６に対するレーザ光による走査を開始させる。例えば、現時点で右眼用光管理部フラグがオンされている場合、右眼用光管理部５１０Ｒからの右眼用レーザ光の照射を開始させることで、網膜４６Ｒに対する右眼用レーザ光による走査を開始させる。また、例えば、現時点で左眼用光管理部フラグがオンされている場合、左眼用光管理部５１０Ｌからの左眼用レーザ光の照射を開始させることで、網膜４６Ｌに対する左眼用レーザ光による走査を開始させる。
【０３６８】
図９Ｂに示すステップ２５６Ｕ１で、制御部５７０は、網膜４６Ｒに対する右眼用レーザ光による走査が行われている場合に、右眼用光管理部５１０Ｒを制御することで、右眼用光管理部５１０Ｒによる走査を終了させる。また、制御部５７０は、網膜４６Ｌに対する左眼用レーザ光による走査が行われている場合に、左眼用光管理部５１０Ｌを制御することで、左眼用光管理部５１０Ｌによる走査を終了させる。
【０３６９】
以上説明したように、ウエアラブル端末装置５０２は、右眼用光を網膜４６Ｒに導き、且つ、左眼用光を網膜４６Ｌに導く光学系５０７を備えている。そして、ウエアラブル端末装置５０２は、検査光が網膜４６Ｒ及び／又は網膜４６Ｌに照射されるように右眼用光管理部５１０Ｒ及び左眼用光管理部５１０Ｌを制御する制御部５７０を備えている。従って、ウエアラブル端末装置５０２によれば、眼科検査の効率的な実施に寄与することができる。また、ウエアラブル端末装置５０２によれば、右眼４４Ｒ及び左眼４４Ｌのうちの一方に対してＳＬＯ撮影を行いながら他方に対してＯＣＴ撮影を行うことができる。更に、ウエアラブル端末装置５０２によれば、右眼４４Ｒ及び左眼４４Ｌのうちの一方に対して視野検査を行いながら他方に対してＳＬＯ撮影及びＯＣＴ撮影のうちの少なくとも一方を行うことができる。
【０３７０】
［第３実施形態］
上記第１実施形態では、光分岐部２０を適用した場合について説明したが、本第３実施形態では、光分岐部２０を用いずに本開示の技術を実現する例について説明する。なお、本第３実施形態では、上記第１実施形態と同一の構成要素については同一の符号を付し、その説明を省略し、上記第１実施形態と異なる部分について説明する。
【０３７１】
一例として図２３に示すように、本第３実施形態に係る眼科システム８００は、上記第１実施形態に眼科システム１０に比べ、ウエアラブル端末装置１２に代えてウエアラブル端末装置８１２を有する点が異なる。
【０３７２】
ウエアラブル端末装置８１２は、ウエアラブル端末装置１２に比べ、光分岐部２０を有しない点が異なる。また、ウエアラブル端末装置８１２は、ウエアラブル端末装置１２に比べ、制御装置１８に代えて制御装置８１８を有する点が異なる。更に、ウエアラブル端末装置８１２は、ウエアラブル端末装置１２に比べ、ケーブル２５に代えてケーブル２５Ａを有する点、ケーブル３４に代えてケーブル３４Ａを有する点、及びケーブル３６に代えてケーブル３６Ａを有する点が異なる。
【０３７３】
ケーブル２５Ａは、ケーブル２５に比べ、光ファイバ３０に代えて光ファイバ３０Ａ，３０Ｂを有する点が異なる。ケーブル３４Ａは、ケーブル３４に比べ、光ファイバ３８に代えて光ファイバ３０Ａを有する点が異なる。ケーブル３６Ａは、ケーブル３６に比べ、光ファイバ４０に代えて光ファイバ３６Ｂを有する点が異なる。すなわち、本第３実施形態では、ケーブル２５Ａが、分岐部αにてケーブル３４Ａ、３６Ａという２本のケーブルに枝分かれしている。
【０３７４】
制御装置８１８は、制御装置１８に比べ、光管理部１１６に代えて光管理部８１９を有する点が異なる。
【０３７５】
一例として図２４に示すように、光管理部９１６は、光管理部１１６に比べ、光検出部１１７に代えて光検出部９１７を有する点が異なる。光検出部９１７は、光検出部１１７に比べ、駆動源制御回路１１９、検出シャッタ用駆動源１２３、ミラー用駆動源１２５、シャッタ１２７、ミラー１４１、第１スライド機構１４５、及び第２スライド機構１４７を更に有する点が異なる。
【０３７６】
第２スライド機構１４７は、ビームスプリッタ１２９を第７位置Ｐ７と第８位置Ｐ８との間でスライド可能に保持している。第７位置Ｐ７とは、ミラー１３７によって導かれた検査光を反射させることで、左眼用光を光ファイバ３０Ｂに導く位置を指す。第８位置Ｐ８とは、ミラー１３７によって導かれた検査光を反射させることで、右眼用光を光ファイバ３０Ａに導く位置を指す。
【０３７７】
第１スライド機構１４５は、シャッタ１２７を第５位置Ｐ５と第６位置Ｐ６との間でスライド可能に保持している。第５位置Ｐ５とは、第８位置Ｐ８のビームスプリッタ１２９によって導かれた右眼用光を通過させて光ファイバ３０Ａに導く位置を指す。第６位置Ｐ６とは、第７位置Ｐ７のビームスプリッタ１２９によって導かれた左眼用光を通過させて光ファイバ３０Ｂに導く位置を指す。
【０３７８】
検出シャッタ用駆動源１２３及びミラー用駆動源１２５の一例としては、ステッピングモータ、ソレノイド、又は圧電素子などが挙げられる。検出シャッタ用駆動源１２３及びミラー用駆動源１２５は、駆動源制御回路１１９に接続されており、駆動源制御回路１１９は、Ｉ／Ｏ１２８に接続されている。駆動源制御回路１１９には、ＣＰＵ１２０から駆動源制御信号が入力され、駆動源制御回路１１９は、入力された駆動源制御信号に従って検出シャッタ用駆動源１２３及びミラー用駆動源１２５を制御する。例えば、駆動源制御回路１１９は、検出シャッタ用制御信号を検出シャッタ用駆動源１２３に供給することで検出シャッタ用駆動源１２３を制御し、ミラー用制御信号をミラー用駆動源１２５に供給することでミラー用駆動源１２５を制御する。
【０３７９】
第１スライド機構１４５は、検出シャッタ用駆動源１２３に接続されており、検出シャッタ用駆動源１２３によって生成された動力を受けることでシャッタ１２７を第５位置Ｐ５と第６位置Ｐ６との間でスライドさせる。
【０３８０】
第２スライド機構１４７は、ミラー用駆動源１２５に接続されており、ミラー用駆動源１２５によって生成された動力を受けることでビームスプリッタ１２９を第７位置Ｐ７と第８位置Ｐ８との間でスライドさせる。
【０３８１】
ミラー１４１は、反射ミラーであり、第８位置Ｐ８のビームスプリッタ１２９を透過した右眼底光を反射させることでミラー１４３に導く。ミラー１４３は、第７位置Ｐ７のビームスプリッタ１２９を透過した左眼底光の進行方向、及びミラー１４１で反射された右眼底光の進行方向に配置されている。
【０３８２】
ミラー１４３は、ダイクロイックミラーであり、眼底光をＳＬＯ光とＯＣＴ光とに分離し、ＳＬＯ光を光検出部１３１に導き、ＯＣＴ光をＯＣＴ光検出部１３３に導く。すなわち、ミラー１４３は、ミラー１４１によって導かれた右眼底光のうちの右眼ＳＬＯ光を透過させることでＳＬＯ光検出部１３１に導き、右眼ＯＣＴ光を反射させることでＯＣＴ光検出部１３３に導く。また、ミラー１４３は、第７位置のビームスプリッタ１２９を透過した左眼底光のうちの左眼ＳＬＯ光を反射させることでＳＬＯ光検出部１３１に導き、左眼ＯＣＴ光を透過させることでＯＣＴ光検出部１３３に導く。
【０３８３】
このように構成されたウエアラブル端末装置８１２では、光管理部９１６から光ファイバ３０Ａを介して右眼用光学系２７Ｒに右眼用光が供給され、光管理部９１６から光ファイバ３０Ｂを介して左眼用光学系２７Ｌに左眼用光が供給される。
【０３８４】
なお、上記第１実施形態では、アイウエア端末装置１６の外側に制御装置１８及び光分岐部２０が引き出されたウエアラブル端末装置１２を例示したが、本開示の技術はこれに限定されるものではない。例えば、図２０に示すように、眼科システム１０に代えて眼科システム６００を採用してもよい。
【０３８５】
眼科システム６００は、眼科システム１０に比べ、制御装置１８、光分岐部２０、及びケーブル２５，３４，３６を有しない点が異なる。また、眼科システム６００は、眼科システム１０に比べ、アイウエア端末装置１６に代えてアイウエア端末装置６１０を有する点が異なる。
【０３８６】
アイウエア端末装置６１０は、制御装置１８に相当する機能を有する装置と、光分岐部２０に相当する機能を有する装置とが一体化されたコントローラ３５２が左側テンプル２４Ｌに収容されている。この場合、ケーブル３４，３６に相当するケーブルもアイウエア端末装置３５０のフレームに収容される。ここで、アイウエア端末装置３５０のフレームとは、例えば、リム２２及びテンプル２４を指す。
【０３８７】
アイウエア端末装置６１０で、応答反応を検出する方法の一例としては、テンプル２４に設けられたタッチセンサ（図示省略）が患者によってタッチされることで応答反応を検出する方法が挙げられる。また、アイウエア端末装置６１０で、応答反応を検出する方法の他の例としては、音声認識装置を用いて応答反応を検出する方法が挙げられる。この場合、例えば、音声認識装置が、患者の「ＹＥＳ」（マーク（光）を感じた場合の意思表示の発話）及び「ＮＯ」（マーク（光）を感じなかった場合の意思表示の発話）を認識することで応答反応を検出する。また、応答ボタン１９だけを別構成にして患者に把持させ、応答ボタン１９による応答結果をアイウエア端末装置６１０に送信するようにしてもよい。
【０３８８】
コントローラ３５２は、右側テンプル２４Ｒに設けられていてもよい。また、制御装置１８に相当する機能を有する装置と、光分岐部２０に相当する機能を有する装置とが別々にアイウエア端末装置３５０のフレームに収容されていてもよい。この場合、ケーブル２５に相当するケーブル、すなわち、制御装置１８に相当する機能を有する装置と、光分岐部２０に相当する機能を有する装置とを接続するケーブルもアイウエア端末装置３５０のフレームに収容される。
【０３８９】
従って、アイウエア端末装置６１０によれば、ケーブル２５，３４，３６及び光分岐部２０が不要になるので、装置全体の小型化に寄与することができる。
【０３９０】
なお、上記第２実施形態に係るウエアラブル端末装置５００についても、図２０に示すウエアラブル端末装置６１０のように、ワイヤレスのウエアラブル端末装置にすることが可能である。すなわち、右眼用光管理部５１０Ｒ、左眼用光管理部５１０Ｌ、光学系５０７、及び制御装置５０３に相当する装置のうちの少なくとも光学系５０７を有するアイウエア端末装置を含むウエアラブル端末装置が採用されてもよい。この場合も、装置全体の小型化に寄与することができる。
【０３９１】
また、上記第１実施形態では、シャッタ１２１，１２７を例示したが、本開示の技術はこれに限定されるものではなく、シャッタ１２１，１２７に代えて、液晶シャッタ等の光の透過を制御することが可能なデバイスを採用してもよい。
【０３９２】
また、上記各実施形態では、光源１１４がレーザ光源ユニット１１３とＩＲレーザ光源１１４Ｄとを有する場合について説明したが、本開示の技術はこれに限定されるものではない。例えば、ＳＬＯ撮影及び視野検査のみを実施可能にするのであれば、ＩＲレーザ光源１１４Ｄは不要である。
【０３９３】
また、上記各実施形態では、レーザ光を例示したが、本開示の技術はこれに限定されるものではなく、例えば、レーザ光に代えて、スーパールミネッセントダイオード（Ｓｕｐｅｒ  Ｌｕｍｉｎｅｓｃｅｎｔ  Ｄｉｏｄｅ）による光を採用してもよい。
【０３９４】
また、上記各実施形態では、応答ボタン１９を例示したが、本開示の技術はこれに限定されるものではない。例えば、応答ボタン１９に代えてタッチパネル・ディスプレイ、キーボード、又はマウス等を用いてもよい。
【０３９５】
また、上記各実施形態では、ウエアラブル端末装置１２（５０２）で視野欠損マップが作成される場合を例示したが、本開示の技術はこれに限定されるものではない。例えば、図１５に示すように、管理装置１４で視野欠損マップが作成されるようにしてもよい。この場合、例えば、処理部１７１が知覚情報と知覚情報に関連するマーク投影位置情報とを対応付けた対応付け情報を生成し、生成した対応付け情報を、無線通信部１１２を介して管理装置１４に送信し、管理装置１４が対応付け情報に基づいて視野欠損マップを作成するようにしてもよい。なお、知覚情報に関連するマーク投影位置情報とは、応答ボタン１９が押されたタイミングでマークが投影された位置に対応するマーク投影位置情報を指す。また、応答ボタン１９が押されたタイミングでマークが投影された位置に対応するマーク投影位置情報を、処理部１７１が無線通信部１１２を介して管理装置１４に送信し、管理装置１４がマーク投影位置情報に基づいて視野欠損マップを作成するようにしてもよい。
【０３９６】
また、上記各実施形態では、モダリティが異なる光源（ＳＬＯ撮影用の光源及びＯＣＴ撮影用の光源）として、本開示の技術に係る第１光源の一例であるレーザ光源ユニット１１３と、本開示の技術に係る第２光源の一例であるＩＲレーザ光源１１４Ｄとを例示したが、本開示の技術はこれに限定されるものではない。例えば、レーザ光源ユニット１１３及びＩＲレーザ光源１１４Ｄに代えて、波長が異なる２つの光源を用いてもよい。波長としては、例えば、Ｒ帯域の波長、Ｂ帯域の波長、Ｇ帯域の波長、及びＩＲ帯域の波長が挙げられる。この場合、例えば、２つの光源がどちらもＳＬＯ用光源であり、一方の光源からは網膜４６Ｌに対してＲ帯域の波長のレーザ光を照射することでＳＬＯ撮影を行い、他方の光源からは網膜４６Ｒに対してＧ帯域の波長のレーザ光を照射することでＳＬＯ撮影を行うようにしてもよい。なお、両眼に対してＯＣＴ撮影を行う場合も同様である。
【０３９７】
また、上記各実施形態では、ＭＥＭＳミラー５４，５６，６０，６２を例示したが、本開示の技術はこれに限定されるものではない。例えば、ＭＥＭＳミラー５４，５６，６０，６２に代えて、又は、ＭＥＭＳミラー５４，５６，６０，６２のうちの少なくとも１つと共に、ガルバノミラー及び／又はポリゴンミラー等の、電気的に反射面の位置を制御可能なミラーを用いてもよい。
【０３９８】
また、上記各実施形態では、端末側プログラム１２４Ａ（５２４Ａ）を二次記憶部１２４から読み出す場合を例示したが、必ずしも最初から二次記憶部１２４に記憶させておく必要はない。例えば、図２１に示すように、ＳＳＤ、ＵＳＢメモリ、又はＤＶＤ−ＲＯＭ等の任意の可搬型の記憶媒体７００に先ずは端末側プログラム１２４Ａ（５２４Ａ）を記憶させておいてもよい。この場合、記憶媒体７００の端末側プログラム１２４Ａ（５２４Ａ）がウエアラブル端末装置１２（５０２）にインストールされ、インストールされた端末側プログラム１２４Ａ（５２４Ａ）がＣＰＵ１２０によって実行される。
【０３９９】
また、通信網（図示省略）を介してウエアラブル端末装置１２（５０２）に接続される他のコンピュータ又はサーバ装置等の記憶部に端末側プログラム１２４Ａ（５２４Ａ）を記憶させておき、端末側プログラム１２４Ａ（５２４Ａ）がウエアラブル端末装置１２（５０２）の要求に応じてインストールされるようにしてもよい。この場合、インストールされた端末側プログラム１２４Ａ（５２４Ａ）はＣＰＵ１２０によって実行される。
【０４００】
また、上記各実施形態では、管理装置側プログラムを二次記憶部９４から読み出す場合を例示したが、必ずしも最初から二次記憶部９４に記憶させておく必要はない。例えば、図２２に示すように、ＳＳＤ、ＵＳＢメモリ、又はＤＶＤ−ＲＯＭ等の任意の可搬型の記憶媒体７５０に先ずは管理装置側プログラムを記憶させておいてもよい。この場合、記憶媒体７５０の管理装置側プログラムが管理装置１４にインストールされ、インストールされた管理装置側プログラムがＣＰＵ９０によって実行される。
【０４０１】
また、通信網（図示省略）を介して管理装置１４に接続される他のコンピュータ又はサーバ装置等の記憶部に管理装置側プログラムを記憶させておき、管理装置側プログラムが管理装置１４の要求に応じてインストールされるようにしてもよい。この場合、インストールされた管理装置側プログラムはＣＰＵ９０によって実行される。
【０４０２】
また、上記実施形態で説明した端末管理処理、端末側処理、サーバ側処理、表示制御処理、及び通信エラー対応処理はあくまでも一例である。従って、主旨を逸脱しない範囲内において不要なステップを削除したり、新たなステップを追加したり、処理順序を入れ替えたりしてもよいことは言うまでもない。
【０４０３】
また、上記実施形態では、コンピュータを利用したソフトウェア構成により端末管理処理、端末側処理、サーバ側処理、表示制御処理、及び通信エラー対応処理が実現される場合を例示したが、本開示の技術はこれに限定されるものではない。例えば、コンピュータを利用したソフトウェア構成に代えて、ＦＰＧＡ又はＡＳＩＣ等のハードウェア構成のみによって、端末管理処理、端末側処理、サーバ側処理、表示制御処理、及び通信エラー対応処理のうちの少なくとも１つの処理が実行されるようにしてもよい。端末管理処理、端末側処理、サーバ側処理、表示制御処理、及び通信エラー対応処理のうちの少なくとも１つの処理がソフトウェア構成とハードウェア構成との組み合わせた構成によって実行されるようにしてもよい。
【０４０４】
つまり、端末管理処理、端末側処理、サーバ側処理、表示制御処理、及び通信エラー対応処理等の各種処理を実行するハードウェア資源としては、例えば、プログラムを実行することで各種処理を実行するハードウェア資源として機能する汎用的なプロセッサであるＣＰＵが挙げられる。また、他のハードウェア資源としては、例えば、専用に設計されたＦＰＧＡ、ＰＬＤ、又はＡＳＩＣなどの回路構成を有するプロセッサである専用電気回路が挙げられる。また、これらのプロセッサのハードウェア的な構造としては、半導体素子などの回路素子を組み合わせた電気回路を用いることができる。各種処理を実行するハードウェア資源は、上述した複数種類のプロセッサのうちの１つであってもよいし、同種または異種の２つ以上のプロセッサの組み合わせであってもよい。
【０４０５】
また、一例として図１４に示す管理装置１４の処理部１８０、取得部１８２、及び表示制御部１８４は、ウエアラブル型の眼科機器ではなく、据置型で両眼を観察することができる視野検査／ＳＬＯ／ＯＣＴ機能を有する装置（例えば、据置型眼科機器）と通信可能に接続された管理装置に対しても適用可能である。つまり、管理装置１４によって実行される処理は、据置型で両眼を観察することができる視野検査／ＳＬＯ／ＯＣＴ機能を有する装置でも実行可能である。
【０４０６】
本明細書において、「Ａ及び／又はＢ」は、「Ａ及びＢのうちの少なくとも１つ」と同義である。つまり、「Ａ及び／又はＢ」は、Ａだけであってもよいし、Ｂだけであってもよいし、Ａ及びＢの組み合わせであってもよい、という意味である。また、本明細書において、３つ以上の事柄を「及び／又は」で結び付けて表現する場合も、「Ａ及び／又はＢ」と同様の考え方が適用される。
【０４０７】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【図１】
2019050049.tif 000003
【図２】
2019050049.tif 000004
【図３】
2019050049.tif 000005
【図４】
2019050049.tif 000006
【図５】
2019050049.tif 000007
【図６】
2019050049.tif 000008
【図７Ａ】
2019050049.tif 000009
【図７Ｂ】
2019050049.tif 000010
【図８】
2019050049.tif 000011
【図９Ａ】
2019050049.tif 000012
【図９Ｂ】
2019050049.tif 000013
【図９Ｃ】
2019050049.tif 000014
【図９Ｄ】
2019050049.tif 000015
【図１０】
2019050049.tif 000016
【図１１】
2019050049.tif 000017
【図１２】
2019050049.tif 000018
【図１３】
2019050049.tif 000019
【図１４】
2019050049.tif 000020
【図１５】
2019050049.tif 000021
【図１６】
2019050049.tif 000022
【図１７】
2019050049.tif 000023
【図１８】
2019050049.tif 000024
【図１９Ａ】
2019050049.tif 000025
【図１９Ｂ】
2019050049.tif 000026
【図１９Ｃ】
2019050049.tif 000027
【図２０】
2019050049.tif 000028
【図２１】
2019050049.tif 000029
【図２２】
2019050049.tif 000030
【図２３】
2019050049.tif 000031
【図２４】
2019050049.tif 000032
【国際調査報告】
2019050049.tif 000033
2019050049.tif 000034
2019050049.tif 000035
2019050049.tif 000036